(57)【要約】アンライセンス新無線（Unlicensed  New  Radio：ＮＲ−Ｕ）用のページングに関する方法および装置について記載する。方法は、ＤＲＸサイクルの間に、複数のページングオケージョン（Paging  Occasion：ＰＯ）を使用してページングを実施し、ページングウィンドウを使用してページングを実施し、複数のスイープおよび／または繰り返しを含むＰＯを使用してページングを実施し、ページング用ＤＬチャネルアクセスインジケーションをシグナリングし、かつ動的ＤＲＸを使用してページングを実施する、手段を含む。一実施形態によれば、装置は、複数のＰＯを含む信号を受信してもよく、各ＰＯは、複数の物理下りリンク制御チャネル（Physical  Downlink  Control  Channel：ＰＤＣＣＨ）監視オケージョンを含む。装置は、装置に関連付けられた識別子の受信に基づいて、複数のページングオケージョンの一部を監視してもよい。装置は、監視される一部内の複数のＰＤＣＣＨ監視オケージョンのＰＤＣＣＨ監視オケージョンで、ページング下りリンク制御情報（Downlink  Control  Information：ＤＣＩ）を検出してもよい。
2022502918.tif 000002
【特許請求の範囲】
【請求項１】
プロセッサ、メモリおよび通信回路を備える装置であって、前記装置は、その通信回路を介してネットワークに接続され、前記装置は、前記装置の前記メモリに記憶されたコンピュータ実行可能命令をさらに備え、前記コンピュータ実行可能命令は、前記装置の前記プロセッサによって実行されると、前記装置に、
複数のページングオケージョンを含む信号を受信することであって、前記複数のページングオケージョンの各ページングオケージョンは、複数の物理下りリンク制御チャネル（Physical  Downlink  Control  Channel：ＰＤＣＣＨ）監視オケージョンを含む、ことと、
前記装置に関連付けられた識別子の受信に基づいて、前記複数のページングオケージョンの一部を監視することと、
前記監視される一部内の前記複数のＰＤＣＣＨ監視オケージョンのＰＤＣＣＨ監視オケージョンで、ページング下りリンク制御情報（Downlink  Control  Information：ＤＣＩ）を検出することと、
を含む操作を実施させる、装置。
【請求項２】
前記複数のＰＤＣＣＨ監視オケージョンは、連続するＰＤＣＣＨ監視オケージョンである、請求項１に記載の装置。
【請求項３】
前記連続するＰＤＣＣＨ監視オケージョンは、伝送される同期信号ブロック（Synchronization  Signal  Block：ＳＳＢ）の量、およびページング伝送に使用されるスイープの量に対応する、請求項２に記載の装置。
【請求項４】
前記監視は、前記一部の間に前記ページングＤＣＩを伝送する下りリンクチャネルをｇＮＢが取得できなかったと判断することに基づいて、間欠受信（Discontinuous  Reception：ＤＲＸ）サイクルの間に前記複数のＰＤＣＣＨ監視オケージョンの少なくとも１つの２番目のＰＤＣＣＨ監視オケージョンを監視することを含む、請求項２に記載の装置。
【請求項５】
前記伝送されるＳＳＢの量は、システム情報ブロック（System  Information  Block：ＳＩＢ）に含まれるパラメータを用いて構成される、請求項３に記載の装置。
【請求項６】
前記複数のページングオケージョンのページングオケージョン内の前記複数のＰＤＣＣＨ監視オケージョンのセットｍ内のＫ番目のＰＤＣＣＨ監視オケージョンは、Ｋ番目に伝送されるＳＳＢに対応する、請求項３に記載の装置。
【請求項７】
前記監視は間欠受信（ＤＲＸ）サイクルの間である、請求項１に記載の装置。
【請求項８】
前記監視される一部は、前記ＤＲＸサイクルの間の前記複数のページングオケージョンの単一のページングオケージョンを含む、請求項７に記載の装置。
【請求項９】
前記監視される一部は、前記ＤＲＸサイクルの間の前記複数のページングオケージョンの複数のページングオケージョンを含む、請求項７に記載の装置。
【請求項１０】
前記複数のページングオケージョンは、時間において多重化される、請求項９に記載の装置。
【請求項１１】
前記複数のページングオケージョンは、周波数において多重化される、請求項９に記載の装置。
【請求項１２】
前記複数のページングオケージョンは、時間および周波数において多重化される、請求項９に記載の装置。
【請求項１３】
前記複数のＰＤＣＣＨ監視オケージョンは、時間に対して連続するＰＤＣＣＨ監視オケージョンである、請求項１に記載の装置。
【請求項１４】
前記複数のＰＤＣＣＨ監視オケージョンは、時間に対して連続していないＰＤＣＣＨ監視オケージョンである、請求項１に記載の装置。
【請求項１５】
前記監視は、前記受信される信号の１つまたは複数のページングサブバンド内である、請求項１に記載の装置。
【請求項１６】
前記複数のＰＤＣＣＨ監視オケージョンは、ｇＮＢによる前記ページングＤＣＩの伝送の１つまたは複数の受信に関連付けられる、請求項１に記載の装置。
【請求項１７】
前記装置の前記メモリに記憶されたコンピュータ実行可能命令であって、前記装置の前記プロセッサによって実行されると、前記装置に、
前記一部の間に前記ページングＤＣＩを伝送する下りリンクチャネルを取得することのｇＮＢによる失敗を検出することであって、前記一部は、前記失敗の後の前記複数のＰＤＣＣＨ監視オケージョンのＰＤＣＣＨ監視オケージョンのみを含む、こと、
を含む操作を実施させる、コンピュータ実行可能命をさらに含む、請求項１に記載の装置。
【請求項１８】
前記装置の前記メモリに記憶されたコンピュータ実行可能命令であって、前記装置の前記プロセッサによって実行されると、前記装置に、
間欠受信（ＤＲＸ）サイクルの間に、前記ＬＢＴの失敗の後の前記複数のＰＤＣＣＨ監視オケージョンの次のｋ個の連続する追加のＰＤＣＣＨ監視オケージョンの最大数まで監視すること、
を含む操作を実施させる、コンピュータ実行可能命をさらに含む、請求項１７に記載の装置。
【請求項１９】
複数のページングオケージョンを含む信号を受信することであって、前記複数のページングオケージョンの各ページングオケージョンは、複数の物理下りリンク制御チャネル（Physical  Downlink  Control  Channel：ＰＤＣＣＨ）監視オケージョンを含む、ことと、
前記装置に関連付けられた識別子の受信に基づいて、前記複数のページングオケージョンの一部を監視することと、
前記監視される一部内の前記複数のＰＤＣＣＨ監視オケージョンのＰＤＣＣＨ監視オケージョンで、ページング下りリンク制御情報（Downlink  Control  Information：ＤＣＩ）を検出することと、
を含む方法。
【請求項２０】
前記複数のＰＤＣＣＨ監視オケージョンは、伝送される同期信号ブロック（Synchronization  Signal  Block：ＳＳＢ）の量、およびページング伝送に使用されるスイープの量に対応する、連続するＰＤＣＣＨ監視オケージョンである、請求項１９に記載の方法。
【発明の詳細な説明】
【技術分野】
【０００１】
（関連出願の相互参照）
本出願は、２０１８年９月２６日に出願の米国特許仮出願番号第６２／７３６，８５０号の利益を請求し、その全体が参照により本明細書に援用される。
【背景技術】
【０００２】
第３世代パートナーシッププロジェクト（3rd  Generation  Partnership  Project：３ＧＰＰ）は、無線アクセス、コアトランスポートネットワーク、およびサービス能力（符復号化、セキュリティ、およびサービス品質に作用するものを含む）を含む、セルラー電気通信ネットワーク技術向けに、技術的規格を策定している。最近の無線アクセス技術（Radio  Access  Technology：ＲＡＴ）規格は、ＷＣＤＭＡ（登録商標）（一般に、３Ｇと称される）、ＬＴＥ（一般に、４Ｇと称される）、およびＬＴＥ−アドバンスト規格を含む。３ＧＰＰは、「５Ｇ」とも称される、新無線（New  Radio：ＮＲ）と呼ばれる次世代セルラー技術の標準化への取り組みを開始している。
【発明の概要】
【０００３】
本概要は、下記にさらに記載される発明を実施するための形態を簡略化した形式で、概念の選択を紹介するために提示される。本概要は、請求される主題の主要な特徴または実質的な特徴を特定したり、あるいは請求される主題の範囲を限定するために使用されることを意図していない。さらに、請求される主題は、本開示のいずれかの部分に記載される、いずれかのまたは全ての不利点を解決するといった制限にも限定されない。
【０００４】
アンライセンス新無線（New  Radio  Unlicensed：ＮＲ−Ｕ）用のページングのための方法および装置について、本明細書に記載する。方法は、ＤＲＸサイクルの間に、複数のページングオケージョン（Paging  Occasion：ＰＯ）を使用してページングを実施し、ページングウィンドウを使用してページングを実施し、複数のスイープおよび／または繰り返しを含むＰＯを使用してページングを実施し、ページング用ＤＬチャネルアクセスインジケーションをシグナリングし、動的ＤＲＸを使用してページングを実施する手段を含む。一実施形態によれば、装置は、複数のＰＯを含む信号を受信してもよく、この際、各ＰＯは、複数の物理下りリンク制御チャネル（Physical  Downlink  Control  Channel：ＰＤＣＣＨ）監視オケージョンを含む。装置は、装置に関連付けられた識別子の受信に基づいて、複数のページングオケージョンの一部を監視してもよい。装置は、監視される一部内の複数のＰＤＣＣＨ監視オケージョンのＰＤＣＣＨ監視オケージョンで、ページング下りリンク制御情報（Downlink  Control  Information：ＤＣＩ）を検出してもよい。
【０００５】
より詳細な理解は、添付図面と併せて、例として挙げられる以下の説明から得ることが可能である。
【図面の簡単な説明】
【０００６】
【図１】図１は、帯域幅適応（Bandwidth  Adaption：ＢＡ）の図である。
【図２】図２は、時間および周波数領域内のページングオケージョン（ＰＯ）の例示的多重化の図である。
【図３】図３は、連続するＰＯの例示的時間分割多重化の図である。
【図４】図４は、連続していないＰＯの例示的時間分割多重化の図である。
【図５】図５は、連続していないＰＯの例示的時間分割多重化の図である。
【図６】図６は、連続するＰＯの例示的時間および周波数分割多重化の図である。
【図７】図７は、監視されるＰＯの例示的周波数分割多重化の図である。
【図８】図８は、ページングサーチスペース内の非連続的なＰＯを用いる例示的構成の図である。
【図９】図９は、ページングサーチスペース内の連続的なＰＯを用いる例示的構成の図である。
【図１０Ａ】図１０Ａは、異なるＰＤＣＣＨ監視オケージョングループからのＰＯの例示的編成の図である。
【図１０Ｂ】図１０Ｂは、異なるＰＤＣＣＨ監視オケージョングループからのＰＯの別の例示的編成の図である。
【図１１Ａ】図１１Ａは、複数のＰＦ内の監視ＰＯの例示的構成の図である。
【図１１Ｂ】図１１Ｂは、複数のＰＦ内の監視ＰＯの別の例示的構成の図である。
【図１２】図１２は、次のＰＯが監視される必要があるかどうかを決定する場合がある例示的アルゴリズムのフロー図である。
【図１３】図１３は、次のＰＯが監視される必要があるかどうかを決定する場合がある別の例示的アルゴリズムのフロー図である。
【図１４】図１４は、例示的ページング監視ウィンドウの図である。
【図１５】図１５は、複数のスイープを用いるシナリオの場合の例示的ＰＯの図である。
【図１６】図１６は、繰り返しを用いるシナリオの場合の例示的ＰＯの図である。
【図１７】図１７は、複数のスイープおよび／または繰り返しを用いるシナリオの場合の例示的ＰＯの図である。
【図１８】図１８は、Ｔ＝３２、Ｎ＝１６、Ｎｓ＝４、Ｍ＝２およびＳ＝３の場合の拡張ＰＯの図である。
【図１９】図１９は、ページングＤＣＩを使用してページングに対するＤＬチャネルアクセスインジケーションをシグナリングする（ＬＢＴが最初の試みで成功する）例示的プロシージャの図である。
【図２０】図２０は、ページングＤＣＩを使用してページングに対するＤＬチャネルアクセスインジケーションをシグナリングする（ＬＢＴが２回目の試みで成功する）例示的プロシージャの図である。
【図２１Ａ】図２１Ａは、本明細書で説明および請求される方法および装置がその中で具現化される場合がある例示的通信システムの一実施形態を示す図である。
【図２１Ｂ】図２１Ｂは、無線伝送／受信ユニット（Wireless  Transmit/Receive  Unit：ＷＴＲＵ）など、本明細書で例示する実施形態に従って無線通信のために構成された例示的装置またはデバイスのブロック図である。
【図２１Ｃ】図２１Ｃは、一実施形態によるＲＡＮおよびコアネットワークのシステム図である。
【図２１Ｄ】図２１Ｄは、一実施形態によるＲＡＮおよびコアネットワークのシステム図である。
【図２１Ｅ】図２１Ｅは、一実施形態によるＲＡＮおよびコアネットワークのシステム図である。
【図２１Ｆ】図２１Ｆは、図２１Ａ、図２１Ｃ、図２１Ｄおよび図２１Ｅに示す通信ネットワークの１つまたは複数の装置がその中で具現化される場合がある例示的コンピューティングシステムのブロック図である。
【図２１Ｇ】図２１Ｇは、本明細書で説明および請求される方法および装置がその中で具現化される場合がある例示的通信システムの一実施形態を示す図である。
【発明を実施するための形態】
【０００７】
アンライセンス新無線（ＮＲ−Ｕ）用のページングのための方法および装置について、本明細書に記載する。本明細書に記載する実施形態によれば、装置は、複数のＰＯを含む信号を受信してもよく、この際、各ＰＯは、複数の物理下りリンク制御チャネル（ＰＤＣＣＨ）監視オケージョンを含む。装置は、装置に関連付けられた識別子の受信に基づいて、複数のページングオケージョンの一部を監視してもよい。装置は、監視される一部内の複数のＰＤＣＣＨ監視オケージョンのＰＤＣＣＨ監視オケージョンで、ページング下りリンク制御情報（ＤＣＩ）を検出してもよい。
【０００８】
以下に掲げるものは、以下の説明に出現する可能性のある頭字語のリストである。特に指示がない限り、本明細書で使用される頭字語は、以下に記載された対応する用語を指す。
BA：Bandwidth  Adaption（帯域幅適応）
BWP：Bandwidth  Part（帯域幅パート）
CAI：Channel  Access  Indication（チャネルアクセスインジケーション）
CORESET：Control  Resource  Set（制御リソースセット）
DCI：Downlink  Control  Information（下りリンク制御情報）
DL：Downlink（下りリンク）
DRS：Discovery  Reference  Signal（発見参照信号）
DRX：Discontinuous  Reception（間欠受信）
DwPTS：Downlink  Pilot  Timeslot（下りリンクパイロットタイムスロット）
eNB：Evolved  Node  B（発展型ＮｏｄｅＢ）
gNB：NR  NodeB（ＮＲ  ＮｏｄｅＢ）
IE：Information  Element（情報要素）
L1：Layer  1（層１）
LAA：License  Assisted  Access（ライセンスアシストアクセス）
LBT：Listen-Before-Talk（リッスンビフォートーク）
LTE：Long  Term  Evolution（ロングタームエボリューション）
MAC：Medium  Access  Control（メディアアクセス制御）
MT：Mobile  Terminated（モバイル終端）
NR：New  Radio（新無線）
NR-U：NR  Unlicensed（ＮＲアンライセンス）
OFDM：Orthogonal  Frequency  Division  Multiplexing（直交周波数分割多重）
PDCCH：Physical  Downlink  Control  Channel（物理下りリンク制御チャネル）
PF：Paging  Frame（ページングフレーム）
PHY：Physical  Layer（物理層）
PO：Paging  Occasion（ページングオケージョン）
P-RNTI：Paging  Radio  Network  Temporary  Identifier（ページング無線ネットワーク一時識別子）
PSB：Paging  Subband（ページングサブバンド）
PWS：Public  Warning  System（公共警告システム）
RAN：Radio  Access  Network（無線アクセスネットワーク）
RNTI：Radio  Network  Temporary  Identifier（無線ネットワーク一時識別子）
RRC：Radio  Resource  Control（無線リソース制御）
RRM：Radio  Resource  Management（無線リソース管理）
SCell：Secondary  Cell（セカンダリセル）
SI：System  Information（システム情報）
SpCell：Special  Cell（スペシャルセル）
SS：Synchronization  Signal（同期信号）
SSB：SS  Block（ＳＳブロック）
TRP：Transmission  and  Reception  Point（送受信ポイント）
UE：User  Equipment（ユーザ端末）
UL：Uplink（上りリンク）
【０００９】
アンライセンス周波数帯で動作する少なくとも１つのＳＣｅｌｌを用いるキャリア・アグリゲーションは、ライセンスアシストアクセス（ＬＡＡ）とも呼ばれている。したがって、ＬＡＡでは、ＵＥ向けに構成されたサービングセルのセットは、ＬＡＡ  ＳＣｅｌｌとも呼ばれることがあるフレーム構造タイプ３に従って、アンライセンス周波数帯で動作する少なくとも１つのＳＣｅｌｌを含む場合がある。典型的には、ＬＡＡ  ＳＣｅｌｌは、標準的なＳＣｅｌｌとして動作する場合がある。
【００１０】
ＬＡＡ  ｅＮＢおよびＵＥは、ＬＡＡ  ＳＣｅｌｌでの伝送を実施する前に、リッスンビフォートーク（ＬＢＴ）を行う。ＬＢＴが行われるときに、送信機は、チャネルがフリーか、またはビジーかを判断するためにチャネルをリッスン／検知する場合がある。チャネルがフリーであると判断される場合、送信機は、伝送を実施する場合があるが、そうでない場合は、伝送を実施しない場合がある。ＬＡＡ  ｅＮＢが、例えば、ＬＡＡチャネルアクセスの目的で、他の技術のチャネルアクセス信号を使用する場合、ＬＡＡの最大エネルギー検出閾値要件を満たし続ける場合がある。
【００１１】
ＬＴＥフレーム構造タイプ３は、通常のサイクリックプレフィックスのみを伴うＬＡＡセカンダリセル操作に適用される場合がある。各無線フレームは、Ｔｆ＝３０７２００・Ｔｓ＝１０ｍｓの長さであり、０から１９まで番号が付けられた、長さＴｓｌｏｔ＝１５３６０・Ｔｓ＝０．５ｍｓの２０スロットで構成される場合がある。サブフレームは、スロットｉおよび２ｉ＋１でサブフレームｉが構成される、２つの連続するスロットで画定される場合がある。
【００１２】
無線フレーム内の１０サブフレームが、下りリンクまたは上りリンク伝送向けに利用可能である場合がある。下りリンク伝送は、１つまたは複数の連続するサブフレームを占める場合があり、例えば、サブフレーム内のいずれかで始まり、かつ最後のサブフレームを完全に占めて終わるか、またはＤｗＰＴＳのうち１つに続く。上りリンク伝送は、１つまたは複数の連続するサブフレームを占める。
【００１３】
ＵＥは、電力消費を低減するために、ＲＲＣ＿ＩＤＬＥおよびＲＲＣ＿ＩＮＡＣＴＩＶＥ状態で間欠受信（ＤＲＸ）を用いてもよい。ＵＥは、ＤＲＸサイクルごとに１つのページングオケージョン（ＰＯ）を監視してよい。ＰＯは、ＰＤＣＣＨ監視オケージョンのセットであってもよく、かつページング下りリンク制御情報（ＤＣＩ）が送信されることがある複数の時間スロット（例えば、サブフレームまたはＯＦＤＭシンボル）で構成されてよい。１つのページングフレーム（ＰＦ）は、１つの無線フレームであり、１つまたは複数のＰＯ、もしくはＰＯの開始点を含んでよい。
【００１４】
マルチビーム操作において、１つのＰＯの長さは、１つのビームスイーピングの期間である場合があり、かつＵＥは、同じページングメッセージがそのスイーピングパターンの全てのビームで繰り返されると想定してもよい。したがって、ページングメッセージの受信に対するビームの選択は、ＵＥの実装形態に依存する場合がある。ページングメッセージは、ＲＡＮ始動式ページング、およびＣＮ始動式ページングのどちらに対しても同じものであってもよい。
【００１５】
ＵＥは、ＲＡＮページングを受信するとすぐに、ＲＲＣ接続再開プロシージャを始動してよい。ＵＥがＲＲＣ＿ＩＮＡＣＴＩＶＥ状態の際にＣＮ始動式ページングを受信する場合、ＵＥは、ＲＲＣ＿ＩＤＬＥに遷移してもよく、またＮＡＳに通知してもよい。
【００１６】
ＰＦ、ＰＯは、下記式によって決定されてよい。ＰＦのＳＦＮは、（ＳＦＮ＋ＰＦ＿ｏｆｆｓｅｔ）ｍｏｄＴ＝（ＴｄｉｖＮ）＊（ＵＥ＿ＩＤｍｏｄＮ）によって決定されてよい。
【００１７】
ページングＤＣＩ用のＰＤＣＣＨ監視オケージョンのセットの開始を示すインデックス（ｉ＿ｓ）は、ｉ＿ｓ＝ｆｌｏｏｒ（ＵＥ＿ＩＤ／Ｎ）ｍｏｄＮｓによって決定されてよい。
【００１８】
ページング用ＰＤＣＣＨ監視オケージョンは、構成されている場合、ｐａｇｉｎｇ−ＳｅａｒｃｈＳｐａｃｅおよびｆｉｒｓｔＰＤＣＣＨ−ＭｏｎｉｔｏｒｉｎｇＯｃｃａｓｉｏｎＯｆＰＯに従って決定されてよい。そうでない場合は、ページング用ＰＤＣＣＨ監視オケージョンは、デフォルトの関連付けに従って決定されてよい（すなわち、ページング用ＰＤＣＣＨ監視オケージョンは、ＲＭＳＩ用のものと同じであってもよい）。
【００１９】
デフォルトの関連付けの場合、Ｎｓは、１または２のどちらかであってよい。Ｎｓ＝１の場合、ＰＦ内で開始するＰＯが１つだけ存在する場合がある。Ｎｓ＝２の場合、ＰＯは、ＰＦの最初のハーフフレーム（ｉ＿ｓ＝０）、または２番目のハーフフレーム（ｉ＿ｓ＝１）内のどちらかにある場合がある。
【００２０】
非デフォルト関連付けの場合（すなわち、ｐａｇｉｎｇ−ＳｅａｒｃｈＳｐａｃｅが使用される場合）、ＵＥは、最初のＰＯがＰＦ内で開始する場合がある（ｉ＿ｓ＋１）番目のＰＯを監視してよい。ＵＬシンボルと重複しないページング用ＰＤＣＣＨ監視オケージョンは、ＰＦ内の最初のページング用ＰＤＣＣＨ監視オケージョンから開始して、ゼロから順番に番号付けされてよい。ｆｉｒｓｔＰＤＣＣＨ−ＭｏｎｉｔｏｒｉｎｇＯｃｃａｓｉｏｎＯｆＰＯが、存在する場合、（ｉ＿ｓ＋１）番目のＰＯは、ｆｉｒｓｔＰＤＣＣＨ−ＭｏｎｉｔｏｒｉｎｇＯｃｃａｓｉｏｎＯｆＰＯによって示されるＰＤＣＣＨ監視オケージョン（すなわち、ｆｉｒｓｔＰＤＣＣＨ−ＭｏｎｉｔｏｒｉｎｇＯｃｃａｓｉｏｎＯｆＰＯパラメータの（ｉ＿ｓ＋１）番目の値）から開始する「Ｓ」個の連続するページング用ＰＤＣＣＨ監視オケージョンのセットであってよい。そうでない場合、（ｉ＿ｓ＋１）番目のＰＯは、（ｉ＿ｓ＊Ｓ）番目のページング用ＰＤＣＣＨ監視オケージョンから開始する「Ｓ」個の連続するページング用ＰＤＣＣＨ監視オケージョンのセットであってよい。この際、「Ｓ」は、ＳｙｓｔｅｍＩｎｆｏｒｍａｔｉｏｎＢｌｏｃｋ１内のｓｓｂ−ＰｏｓｉｔｉｏｎｓＩｎＢｕｒｓｔに従って決定される実際に伝送されるＳＳＢの数であってよい。ＰＯ内のＫ番目のページング用ＰＤＣＣＨ監視オケージョンは、Ｋ番目に伝送されるＳＳＢに対応する場合がある。
【００２１】
以下のパラメータが、上述のＰＦおよびｉ＿ｓの計算に使用されてよい。
（１）Ｔ：ＵＥのＤＲＸサイクル（ＲＲＣまたは上位層によって構成され、かつデフォルトＤＲＸ値がシステム情報でブロードキャストされる場合、Ｔは、ＵＥ固有ＤＲＸ値の最も低い値によって決定されてよく、ＵＥ固有ＤＲＸ値がＲＲＣまたは上位層によって構成されない場合は、デフォルト値が適用されてよい）
（２）Ｎ：Ｔ内のページングフレームの合計数
（３）Ｎｓ：ＰＦの間のページングオケージョンの数
（４）ＰＦ＿ｏｆｆｓｅｔ：ＰＦ決定で用いられるオフセット
（５）ＵＥ＿ＩＤ：５Ｇ−Ｓ−ＴＭＳＩｍｏｄ１０２４
パラメータＮ、Ｎｓ、ｆｉｒｓｔ−ＰＤＣＣＨ−ＭｏｎｉｔｏｒｉｎｇＯｃｃａｓｉｏｎＯｆＰＯ、ＰＦ＿ｏｆｆｓｅｔ、およびデフォルトＤＲＸサイクルの長さは、ＳＩＢ１でシグナリングされてよい。ＵＥが、５Ｇ−Ｓ−ＴＭＳＩを有していない場合、例えば、ＵＥが、ネットワークにまだ登録されていない場合、ＵＥは、デフォルトとして、ＰＦ内の識別情報ＵＥ＿ＩＤ＝０、および上記のｉ＿ｓ式を使用してよい。５Ｇ−Ｓ−ＴＭＳＩは、４８ビット長のビット列であってよい。上記式の５Ｇ−Ｓ−ＴＭＳＩは、左端ビットが、最上位ビットを意味する２進数で解釈されてよい。
【００２２】
下記の表１は、Ｐ−ＲＮＴＩによってスクランブルされたＣＲＣと共にＤＣＩフォーマット１＿０によって伝送されることがある情報を示す。
【００２３】
【表１】
2022502918.tif 000003
【００２４】
下記の表２は、Ｐ−ＲＮＴＩによってスクランブルされたＣＲＣと共にＤＣＩフォーマット１＿０によって伝送されることがある情報を示す。
【００２５】
【表２】
2022502918.tif 000004
【００２６】
帯域幅適応（ＢＡ）を用いて、ＵＥの受信および伝送帯域幅は、通常、セルの帯域幅と同じ大きさである必要はなく、かつ調整されてよく、幅は、（例えば。低アクティビティ期間中に縮小させて、電力を節約するために）変更するように指示されてよく、位置は、（例えば、スケジューリングの柔軟性を上げるために）周波数領域内で移動してもよく、またサブキャリア間隔は、（例えば、異なるサービスを可能にするために）変更するように指示されてよい。セルの総セル帯域幅のサブセットは、帯域幅パート（ＢＷＰ）と呼ばれることがあり、ＢＡは、ＢＷＰを用いてＵＥを構成して、構成されたＢＷＰのうちどれが、現在アクティブであるかをＵＥに知らせることによって実現することができる。
【００２７】
図１は、ＢＡ１００の例を示す。図１の例において、時間１０２および周波数に対して３つの異なるＢＷＰ、すなわちＢＷＰ１  １１０、ＢＷＰ２  １１１、およびＢＷＰ３  １１２が示されている。ＢＷＰは、ＢＷＰ１  １１０が４０ＭＨｚの幅および１５ｋＨｚのサブキャリア間隔、ＢＷＰ２  １１１が１０ＭＨｚの幅および１５ｋＨｚのサブキャリア間隔、ならびに、ＢＷＰ３  １１２が２０ＭＨｚの幅および６０ｋＨｚのサブキャリア間隔、となるように構成されてよい。
【００２８】
サービングセルは、最大で４つのＢＷＰを用いて構成される場合があり、通常、アクティブなサービングセルでは、１つのアクティブＢＷＰが時間においていかなる点でも存在する。サービングセルにおけるＢＷＰスイッチングは、同時に、非アクティブＢＷＰをアクティブにし、アクティブＢＷＰを非アクティブにするために用いられ、かつ、下りリンク割り当てまたは上りリンクグラントを示すＰＤＣＣＨによって制御される場合がある。ＳｐＣｅｌｌ（スペシャルセル）の追加またはＳＣｅｌｌのアクティベーションに応じて、１つのＢＷＰが、下りリンク割り当てまたは上りリンクグラントを示すＰＤＣＣＨを受信することなしに、最初にアクティブにされる場合がある。サービングセルのアクティブＢＷＰは、ＲＲＣまたはＰＤＣＣＨによって示される場合がある。対をなしていない周波数帯では、ＤＬ  ＢＷＰは、ＵＬ  ＢＷＰと対にされる場合があり、ＢＷＰスイッチングは、ＵＬとＤＬとの両方に対して共通するものである場合がある。
【００２９】
本明細書で記載する実施形態は、従来のページングプロシージャにおけるいくつかの問題に対処する。ＮＲでは、ＵＥが、ＤＲＸサイクルごとに１つのＰＯを監視し、ＰＯは、それぞれがページングＤＣＩが送信されることがあるページングフレーム（ＰＦ）内の固定時間インスタンス（例えば、１つまたは複数のＯＦＤＭシンボル）に対応するＰＤＣＣＨ監視オケージョンのセットである場合がある。ＮＲ−Ｕでは、ｇＮＢが、ＤＬ伝送を実施する前に、ＰＯの間にページングＤＣＩをｇＮＢが伝送することを妨げる可能性があるＬＢＴを実施する必要がある場合がある。これにより、ＵＥを再びページングしようとする前に、ｇＮＢが全てのＤＲＸサイクルを待たなければならないといった結果をもたらす場合がある。このことは、例えば、低システムアクセス遅延サービス向けのモバイル終端（ＭＴ）コール確立のためにＵＥをページングするときや、または公共警告システム（ＰＷＳ）インジケーションを送信するときなどの、一部のシナリオでは許容されない可能性がある。さらに、ＮＲは、例えば、低電力状態から完全接続状態へのＵＥの非常に素早く効率の良い遷移を可能にすることを目的としたＲＲＣ＿ＩＮＡＣＴＩＶＥ状態を提案してきた。ＮＲ−Ｕでは、ページングプロシージャがＬＢＴによって過度に影響を受ける場合に、この状態の利益は、失われる可能性がある。したがって、過度の遅延を起こすことなく、ＵＥが確実にページングされることを確かなものにするために、ＮＲ−Ｕページングプロシージャを拡張させる必要がある。
【００３０】
本明細書に記載する態様は、上記の問題に対する解決策として下記のものを含む。
（１）例えば、以下のようなＤＲＸサイクルの間に複数のＰＯを用いてページングを実施する方法。
ＤＲＸサイクルの間に複数のＰＯをＵＥが監視する方法。この際、監視するＰＯは、時間および／または周波数領域で多重化される場合がある。
１つまたは複数のＰａｇｉｎｇ−ＳｅａｒｃｈＳｐａｃｅフィールドからＤＲＸサイクルの間に監視するＰＯをＵＥが選択する方法。
ＰＤＣＣＨ監視オケージョンの１つまたは複数のグループからＤＲＸサイクルの間に監視するＰＯをＵＥが選択する方法。
複数のＰＦに関連付けられたＰＯからＤＲＸサイクルの間に監視するＰＯをＵＥが選択する方法。
構成された規則のセットに基づいて、ＤＲＸサイクルで監視する次のＰＯをＵＥが決定する方法。
複数のＢＷＰ／サブバンドの間で構成されたＰＯをＵＥが監視する方法。
ＤＲＸサイクル内に構成されている次のＰＯが、いつ監視される必要があるかをＵＥが決定する方法。
（２）例えば、以下のようなページングウィンドウを用いてページングを実施する方法。
ＰＯの間で柔軟な開始点を定義する方法。
（３）例えば、以下のような、複数のスイープ／繰り返しを含むＰＯを用いてページングを実施する方法。
ＰＯが連続するＰＤＣＣＨ監視オケージョンのセットとして定義されるＰＯ定義は、複数のスイープ／繰り返しを用いたページングＤＣＩの伝送向けに使用される場合がある。
（４）例えば、以下のような、ページング用ＤＬチャネルアクセスインジケーションをシグナリングする方法。
ページングＤＣＩを介してＤＬチャネルアクセスインジケーションをシグナリングする方法。
（５）例えば、以下のような動的ＤＲＸを用いてページングを実施する方法。
ＵＥが、ＰＯの間にチャネルをｇＮＢが取得することができた／できなかったと検出するときに、ＤＲＸサイクルを動的に適応させる方法。
【００３１】
図２は、一実施形態による時間および周波数領域でのＰＯの多重化の例２００であり、これは、本明細書に記載する実施形態のいずれかと組み合わされて使用される場合がある。図２は、時間領域２０２および周波数領域２０１で多重化された複数のＰＯ２１０を示す。図２の例に示すように、ページングプロシージャの堅牢性を向上するために、ＵＥは、ＤＲＸサイクルの間にＰＯ２１０のうちの１つまたは複数を監視してよく、ここで、監視されることになる１つまたは複数のＰＯ２１０は、時間領域２０２および／または周波数領域２０１で多重化される場合がある。ＤＲＸサイクルの間に監視されることになるＰＯ２１０の数は、ブロードキャストまたは専用のシグナリングを使用して上位層によって事前構成されるか、または構成されてよく、また、例えば、サービスタイプ、システムアクセス遅延要件、電力消費要件によって決まる場合がある。
【００３２】
例えば、ＤｏｗｎｌｉｎｋＣｏｎｆｉｇＣｏｍｍｏｎＳＩＢ  ＩＥに含まれるＰＣＣＨ−Ｃｏｎｆｉｇフィールドは、パラメータ、例えば、ＤＲＸサイクルの間に監視されることになるＰＯの数を構成するために使用されるＮｍをシグナリングするために使用されてよい。例証の目的のために、パラメータＮｍが、１、２、４、または８に等しい値に設定される場合があるシナリオについて、本明細書で検討する。パラメータは、以下に示すように定義されるＰＣＣＨ−Ｃｏｎｆｉｇフィールドを使用してシグナリングされてよい。この例において、パラメータＮｍが明確にシグナリングされない場合、１のデフォルト値が想定される場合がある。ＩＥを介してシグナリングされる他のパラメータへの拡張、例えば、追加のＳＣＳ、Ｎｓ値、Ｎ値、ＰＦオフセット値などのサポートは、下記に示されるのと類似の方式で行われてよい。
PCCH-Config  ::=  SEQUENCE  ｛
defaultPagingCycle  PagingCycle,
nAndPagingFrameOffset  CHOICE  ｛
oneT  NULL,
halfT  INTEGER  (0..1),
quarterT  INTEGER  (0..3),
oneEighthT  INTEGER  (0..7),
oneSixteenthT  INTEGER  (0..15)
｝,
Ns  ENUMERATED  ｛four,  two,  one｝,
firstPDCCH-MonitoringOccasionOfPO  CHOICE  ｛
sCS15KHZoneT
SEQUENCE  (SIZE  (1..maxPO-perPF))  OF  INTEGER  (0..139),
sCS30KHZoneT-SCS15KHZhalfT
SEQUENCE  (SIZE  (1..maxPO-perPF))  OF  INTEGER  (0..279),
sCS60KHZoneT-SCS30KHZhalfT-SCS15KHZquarterT
SEQUENCE  (SIZE  (1..maxPO-perPF))  OF  INTEGER  (0..559),
sCS120KHZoneT-SCS60KHZhalfT-SCS30KHZquarterT-SCS15KHZoneEighthT
SEQUENCE  (SIZE  (1..maxPO-perPF))  OF  INTEGER  (0..1119),
sCS120KHZhalfT-SCS60KHZquarterT-SCS30KHZoneEighthT-SCS15KHZoneSixteenthT
SEQUENCE  (SIZE  (1..maxPO-perPF))  OF  INTEGER  (0..2239),
sCS120KHZquarterT-SCS60KHZoneEighthT-SCS30KHZoneSixteenthT
SEQUENCE  (SIZE  (1..maxPO-perPF))  OF  INTEGER  (0..4479),
sCS120KHZoneEighthT-SCS60KHZoneSixteenthT
SEQUENCE  (SIZE  (1..maxPO-perPF))  OF  INTEGER  (0..8959),
sCS120KHZoneSixteenthT
SEQUENCE  (SIZE  (1..maxPO-perPF))  OF  INTEGER  (0..17919)
｝      OPTIONAL,                      --  Need  R
...,
Nm  ENUMERATED  ｛2,  4,  8｝  OPTIONAL  --NEED  S
｝
【００３３】
図３は、一実施形態による時間領域で多重化された複数の連続するＰＯの監視の例３００であり、これは、本明細書に記載する実施形態のいずれかと組み合わされて使用される場合がある。図３の例において、ＵＥは、ＤＲＸサイクルの間に複数のＰＯ（例えば、Ｎｍ）を監視するように構成されてよく、この際、監視されるＰＯは、時間領域で多重化されたＰＯのセットに対応する場合がある。監視されることになるＰＯは、式（ＳＦＮ＋ＰＦ＿ｏｆｆｓｅｔ）ｍｏｄＴ＝（ＴｄｉｖＮ）＊（ＵＥ＿ＩＤｍｏｄＮ）によって決定されるＳＦＮと共にＰＦに関連付けられてよい。例えば、監視されるＰＯは、時間領域で多重化されることがある連続するＰＯのセットに対応する場合があり、この際、各ＵＥは、ＵＥ＿ＩＤに基づいて連続するＰＯの異なるセットに分散されてよい。一態様において、インデックスｉ＿ｓｍが、ｍ番目に監視されるＰＯの間のページングＤＣＩ用のＰＤＣＣＨ監視オケージョンのセットの開始を示してもよく、この際、１≦ｍ≦Ｎｓであり、インデックスｉ＿ｓｍは、式ｉ＿ｓｍ＝（ｆｌｏｏｒ（ＵＥ＿ＩＤ／Ｎ）＋ｍ−１））ｍｏｄＮｓによって決定されてよい。
【００３４】
下記の表３は、Ｔ＝３２、Ｎ＝１６、Ｎｓ＝８およびＮｍ＝４のシナリオで、図３に示す３つの異なるＵＥ、ＵＥ１  ３０２、ＵＥ３３  ３０３、およびＵＥ２２５  ３０４に対する計算の結果を示す。
【００３５】
【表３】
2022502918.tif 000005
【００３６】
図３を参照すると、時間領域３０１における複数のＰＯ３１０、３１１、３１２、３１３、３１４、３１５、３１６および３１７が示されている。ＵＥ１  ３０２は、ＰＯ３１０、３１１、３１２、３１３の間のＰＯ３２０を監視する場合があるが、ＰＯ３１４、３１５、３１６および３１７の間のＰＯ３２１は監視しない。ＵＥ３３  ３０３は、ＰＯ３１２、３１３、３１４および３１５の間のＰＯ３２３を監視する場合があるが、ＰＯ３１０、３１１、３１６および３１７の間のＰＯ３２２は監視しない。ＵＥ２２５  ３０４は、ＰＯ３１０、３１１、３１６および３１７の間のＰＯ３２４を監視する場合があるが、ＰＯ３１２、３１３、３１４および３１５の間のＰＯ３２５は監視しない。
【００３７】
図４は、一実施形態による時間領域で多重化された複数の連続していないＰＯの監視の例４００であり、これは、本明細書に記載する実施形態のいずれかと組み合わされて使用される場合がある。時間領域で多重化されたＰＯのチャネルアクセス確率は、特に、各ＰＯが時間において互いに近くで発生する場合に、非常に相関する場合がある。この問題を解決するために、図４の例に示すように、ＵＥは、時間領域で多重化された連続していないＰＯのセットを監視するように構成されてよく、この際、各ＵＥは、ＵＥ＿ＩＤに基づいて連続していないＰＯの異なるセットに分散されてよい。一態様において、インデックスｉ＿ｓｍが、ｍ番目に監視されるＰＯの間のページングＤＣＩ用のＰＤＣＣＨ監視オケージョンのセットの開始を示してもよく、この際、１≦ｍ≦Ｎｓであり、インデックスｉ＿ｓｍは、式ｉ＿ｓｍ＝（ｆｌｏｏｒ（ＵＥ＿ＩＤ／Ｎ）＋（ＮｓｄｉｖＮｍ）＊（ｍ−１））ｍｏｄＮｓによって決定されてよい。
【００３８】
表４は、Ｔ＝３２、Ｎ＝１６、Ｎｓ＝８およびＮｍ＝４のシナリオで、図４に示す３つの異なるＵＥ、ＵＥ１  ４０２、ＵＥ１７  ４０３、およびＵＥ３３  ４０４に対する計算の結果を示す。
【００３９】
【表４】
2022502918.tif 000006
【００４０】
図４を参照すると、時間領域４０１における複数のＰＯ４１０、４１１、４１２、４１３、４１４、４１５、４１６および４１７が示されている。ＵＥ１  ４０２は、ＰＯ４１０、４１２、４１４および４１６の間のＰＯ４２０を監視する場合があるが、ＰＯ４１１、４１３、４１５および４１７の間のＰＯ４２１は監視しない。ＵＥ１７  ４０３は、ＰＯ４１１、４１３、４１５および４１７の間のＰＯ４２３を監視する場合があるが、ＰＯ４１０、４１２、４１４および４１６の間のＰＯ４２２は監視しない。ＵＥ３３  ４０４は、ＰＯ４１０、４１２、４１４および４１６の間のＰＯ４２４を監視する場合があるが、ＰＯ４１１、４１３、４１５および４１７の間のＰＯ４２５は監視しない。
【００４１】
図５は、一実施形態による時間領域で多重化された複数の連続していないＰＯの監視の別の例５００であり、これは、本明細書に記載する実施形態のいずれかと組み合わされて使用される場合がある。
【００４２】
表５は、Ｔ＝３２、Ｎ＝１６、Ｎｓ＝８およびＮｍ＝２のシナリオで、図５に示す３つの異なるＵＥ、ＵＥ１  ５０２、ＵＥ１７  ５０３、およびＵＥ３３  ５０４に対する計算の結果を示す。
【００４３】
【表５】
2022502918.tif 000007
【００４４】
図５を参照すると、時間領域５０１における複数のＰＯ５１０、５１１、５１２、５１３、５１４、５１５、５１６および５１７が示されている。ＵＥ１  ５０２は、ＰＯ５１０および５１４の間のＰＯ５２０を監視する場合があるが、ＰＯ５１１、５１２、５１３、５１５、５１６および５１７の間のＰＯ５２１は監視しない。ＵＥ１７  ５０３は、ＰＯ５１１および５１５の間のＰＯ５２３を監視する場合があるが、ＰＯ５１０、５１２、５１３、５１４、５１６および５１７の間のＰＯ５２２は監視しない。ＵＥ３３  ５０４は、ＰＯ５１２および５１６の間のＰＯ５２５を監視する場合があるが、ＰＯ５１０、５１１、５１３、５１４、５１５および５１７の間のＰＯ５２４は監視しない。
【００４５】
図６は、一実施形態による時間および周波数領域で多重化されたＰＯの監視の別の例６００であり、これは、本明細書に記載する実施形態のいずれかと組み合わされて使用される場合がある。広帯域キャリアの場合、ＤＬチャネルは、サブバンドに分割される場合があり、この際、ＬＢＴは、各サブバンドで、別々に実施される場合がある。ページングサブバンド（ＰＳＢ）は、ページング用ＰＤＣＣＨをＵＥが監視する場合があるサブバンドとして、定義される場合がある。図６の例において、ＵＥはＤＲＸサイクルの間に１つまたは複数のＰＳＢでページング用ＰＤＣＣＨを監視するように構成される場合があり、この際、各ＵＥは、ＵＥ＿ＩＤに基づいて異なるＰＳＢに分散されてよい。ＵＥは、ＤＲＸサイクルの各監視されるＰＯの間に、異なるＰＳＢによるページングを監視する場合があり、この際、ｍ番目の監視されるＰＯの間に、ＵＥによってページングを監視されるＰＳＢは、式ＰＳＢｍ＝（ｆｌｏｏｒ（ＵＥ＿ＩＤ／（Ｎ＊Ｎｓ））＋（ｍ−１））ｍｏｄＮＰＳＢによって決定される場合がある。
【００４６】
表６は、ＵＥが連続するＰＯを監視し、かつＴ＝３２、Ｎ＝１６、Ｎｓ＝８、Ｎｍ＝４およびＮｐｓｂ＝４のシナリオで、３つの異なるＵＥ、ＵＥ１、ＵＥ３３、およびＵＥ２２５に対する計算の結果を示す。
【００４７】
【表６】
2022502918.tif 000008
【００４８】
図６を参照すると、時間領域６０１における複数のＰＯ６１０、６１１、６１２、６１３、６１４、６１５、６１６および６１７、ならびに複数のサブバンド、すなわち、サブバンド３  ６０２、サブバンド２  ６０３、サブバンド１  ６０４およびサブバンド０  ６０５が示されている。ＵＥ１は、ＰＯ６２１を監視する場合がある。ＵＥ３３は、ＰＯ６２２を監視する場合がある。ＵＥ２２５は、ＰＯ６２０を監視する場合がある。どのＵＥも、ＰＯ６２３を監視しない。
【００４９】
図７は、一実施形態による周波数領域のみで多重化されたＰＯの監視の例７００であり、これは、本明細書に記載する実施形態のいずれかと組み合わされて使用される場合がある。図７の例において、ＵＥは、ＤＲＸサイクルの間に周波数のみで多重化されたＰＯを監視する場合がある。図７を参照すると、ＰＯは、Ｔ＝３２、Ｎ＝１６、Ｎｓ＝８、Ｎｍ＝４およびＮｐｓｂ＝４で、周波数で多重化されている。図７は、時間領域７０１における複数のＰＯ７１０、７１１、７１２、７１３、７１４、７１５、７１６および７１７、ならびに複数のサブバンド、すなわち、サブバンド３  ７０２、サブバンド２  ７０３、サブバンド１  ７０４およびサブバンド０  ７０５を示している。ＵＥ１は、ＰＯ７２０を監視する場合がある。ＵＥ３３は、ＰＯ７２１を監視する場合がある。ＵＥ２２５は、ＰＯ７２２を監視する場合がある。どのＵＥも、ＰＯ７２３を監視しない。
【００５０】
下記のものは、本明細書に記載するパラメータをシグナリングするために使用される場合があるＰＣＣＨ−Ｃｏｎｆｉｇ情報要素（ＩＥ）の例である。
PCCH-Config  ::=        SEQUENCE  ｛
defaultPagingCycle          PagingCycle,
nAndPagingFrameOffset        CHOICE  ｛
oneT                NULL,  
halfT                INTEGER  (0..1),
quarterT              INTEGER  (0..3),
oneEighthT              INTEGER  (0..7),
oneSixteenthT            INTEGER  (0..15)
｝,
ns                  ENUMERATED  ｛eight,  four,  two,  one｝,
nm                  ENUMERATED  ｛eight,  four,  two,  one｝  OPTIONAL,
npsb                ENUMERATED  ｛eight,  four,  two,  one｝  OPTIONAL,
firstPDCCH-MonitoringOccasionOfPO  CHOICE  ｛
sCS15KHZoneT                                SEQUENCE  (SIZE  (1..4))  OF  INTEGER  (0..139),
sCS30KHZoneT-SCS15KHZhalfT                          SEQUENCE  (SIZE  (1..4))  OF  INTEGER  (0..279),
sCS60KHZoneT-SCS30KHZhalfT-SCS15KHZquarterT                  SEQUENCE  (SIZE  (1..4))  OF  INTEGER  (0..559),
sCS120KHZoneT-SCS60KHZhalfT-SCS30KHZquarterT-SCS15KHZoneEighthT        SEQUENCE  (SIZE  (1..4))  OF  INTEGER  (0..1119),
sCS120KHZhalfT-SCS60KHZquarterT-SCS30KHZoneEighthT-SCS15KHZoneSixteenthT  SEQUENCE  (SIZE  (1..4))  OF  INTEGER  (0..2239),
sCS120KHZquarterT-SCS60KHZoneEighthT-SCS30KHZoneSixteenthT          SEQUENCE  (SIZE  (1..4))  OF  INTEGER  (0..4479),
sCS120KHZoneEighthT-SCS60KHZoneSixteenthT                  SEQUENCE  (SIZE  (1..4))  OF  INTEGER  (0..8959),
sCS120KHZoneSixteenthT                            SEQUENCE  (SIZE  (1..4))  OF  INTEGER  (0..17919)
｝  OPTIONAL,      --  Need  R
...
｝
【００５１】
【表７】
2022502918.tif 000009
【００５２】
ＰＤＣＣＨ−ＣｏｎｆｉｇＣｏｍｍｏｎ  ＩＥを介してシグナリングされるＰａｇｉｎｇ−ＳｅａｒｃｈＳｐａｃｅフィールドが、ＰＯとＳＳＢとの非デフォルト関連付けの構成のために使用されてよい。ＮＲ−Ｕの場合、複数のＰａｇｉｎｇ−ＳｅａｒｃｈＳｐａｃｅフィールドが、ＵＥがＤＲＸサイクルの間に監視するＰＯのセットを構成するために使用されてよい。監視するＰＯは、式（ＳＦＮ＋ＰＦ＿ｏｆｆｓｅｔ）ｍｏｄＴ＝（ＴｄｉｖＮ）＊（ＵＥ＿ＩＤｍｏｄＮ）によって決定される場合があるＳＦＮと共にＰＦに関連付けられてよい。ページングＤＣＩ用のＰＤＣＣＨ監視オケージョンのセットの開始を示すインデックス（ｉ＿ｓ）は、ｉ＿ｓ＝ｆｌｏｏｒ（ＵＥ＿ＩＤ／Ｎ）ｍｏｄＮｓによって決定されてよい。
【００５３】
ＤＲＸサイクルの間に監視するＰＯのセットは、各Ｎｍ構成Ｐａｇｉｎｇ−ＳｅａｒｃｈＳｐａｃｅｓ内の（ｉ＿ｓ＋１）番目のＰＯを含む場合がある。各ページングサーチスペース内のＰＯは、図８および図９の例に示すように編成されてよく、それによって、ＤＲＸサイクルの間に所定のＵＥによって監視されるＰＯを、時間において一緒にグループにするか、または時間において分散することが可能になる。
【００５４】
図８は、一実施形態によるページングサーチスペース内の非連続的なＰＯを用いる例示的構成の例８００であり、これは、本明細書に記載する実施形態のいずれかと組み合わされて使用される場合がある。本例における各ページングサーチスペースは、それぞれが、多くのＰＤＣＣＨ監視オケージョンのうち１つを含む複数の非連続的なＰＯを含む。図８の例は、時間領域８０４に対する、ページングサーチスペース４  ８４０、ならびにＰＯ１  ８４１、ＰＯ２  ８４２、ＰＯ３  ８４３およびＰＯ４  ８４４を示す。図８はまた、時間領域８０３に対する、ページングサーチスペース３  ８３０、ならびにＰＯ１  ８３１、ＰＯ２  ８３２、ＰＯ３  ８３３およびＰＯ４  ８３４も示す。図８はまた、時間領域８０２に対する、ページングサーチスペース２  ８２０、ならびにＰＯ１  ８２１、ＰＯ２  ８２２、ＰＯ３  ８２３およびＰＯ４  ８２４も示す。図８はまた、時間領域８０１に対する、ページングサーチスペース１  ８１０、ならびにＰＯ１  ８１１、ＰＯ２  ８１２、ＰＯ３  ８１３およびＰＯ４  ８１４も示す。
【００５５】
図９は、一実施形態によるページングサーチスペース内の連続的なＰＯを用いる例示的構成の例９００であり、これは、本明細書に記載する実施形態のいずれかと組み合わされて使用される場合がある。本例における各ページングサーチスペースは、それぞれが、多くのＰＤＣＣＨ監視オケージョンのうち１つを含む複数の連続的なＰＯを含む。図９の例は、時間領域９０４に対する、ページングサーチスペース４  ９４０、ならびにＰＯ１  ９４１、ＰＯ２  ９４２、ＰＯ３  ９４３およびＰＯ４  ９４４を示す。図９はまた、時間領域９０３に対する、ページングサーチスペース３  ９３０、ならびにＰＯ１  ９３１、ＰＯ２  ９３２、ＰＯ３  ９３３およびＰＯ４  ９３４も示す。図９はまた、時間領域９０２に対する、ページングサーチスペース２  ９２０、ならびにＰＯ１  ９２１、ＰＯ２  ９２２、ＰＯ３  ９２３およびＰＯ４  ９２４も示す。図９はまた、時間領域９０１に対する、ページングサーチスペース１  ９１０、ならびにＰＯ１  ９１１、ＰＯ２  ９１２、ＰＯ３  ９１３およびＰＯ４  ９１４も示す。
【００５６】
下記のものは、上述の複数のページングサーチスペースを構成するために使用される場合があるＰＤＣＣＨ−ＣｏｎｆｉｇＣｏｍｍｏｎ  ＩＥの例である。
PDCCH-ConfigCommon  ::=        SEQUENCE  ｛
controlResourceSetZero        INTEGER  (0..15)      OPTIONAL,    --  Cond  InitialBWP-Only
commonControlResourceSet      ControlResourceSet    OPTIONAL,    --  Need  R
searchSpaceZero          INTEGER  (0..15)      OPTIONAL,    --  Cond  InitialBWP-Only
commonSearchSpace          SEQUENCE  (SIZE(1..4))  OF  SearchSpace  OPTIONAL,--  Need  R
searchSpaceSIB1          SearchSpaceId              OPTIONAL,--  Need  R
searchSpaceOtherSystemInformation  SearchSpaceId              OPTIONAL,--  Need  R
pagingSearchSpace          SEQUENCE  (SIZE(1..4))  OF  SearchSpaceId  OPTIONAL,--  Need  R
ra-SearchSpace            SearchSpaceId              OPTIONAL,--  Need  R
...
｝
【００５７】
【表８】
2022502918.tif 000010
【００５８】
ＵＥは、ＤＲＸサイクルの間に複数のＰＯを監視するように構成されてよく、この際、監視されるＰＯは、ＰＤＣＣＨ監視オケージョンの複数のグループに関連付けられてよい。一態様において、監視するＰＯは、式（ＳＦＮ＋ＰＦ＿ｏｆｆｓｅｔ）ｍｏｄＴ＝（ＴｄｉｖＮ）＊（ＵＥ＿ＩＤｍｏｄＮ）によって決定される場合があるＳＦＮと共にＰＦに関連付けられてよい。各グループ内のページングＤＣＩ用のＰＤＣＣＨ監視オケージョンのセットの開始を示すインデックス（ｉ＿ｓ）は、ｉ＿ｓ＝ｆｌｏｏｒ（ＵＥ＿ＩＤ／Ｎ）ｍｏｄＮｓによって決定されてよい。
【００５９】
ＤＲＸサイクルの間にＵＥによって監視されるＰＯのセットは、ＰＤＣＣＨ監視オケージョンの各構成されたグループから選択される（ｉ＿ｓ＋１）番目のＰＯを含む場合がある。
【００６０】
ＰＤＣＣＨ監視オケージョンの複数のセットは、ブロードキャストまたは専用のシグナリングを使用して上位層によって構成されてよい。
【００６１】
図１０Ａは、一実施形態による異なるＰＤＣＣＨ監視オケージョングループから交互配列されたＰＯの例１０００であり、これは、本明細書に記載する実施形態のいずれかと組み合わされて使用される場合がある。本例における各ＰＯは、多くのＰＤＣＣＨ監視オケージョンのうち１つを含む。図１０Ａの例は、他の監視オケージョングループのＰＯと交互配列される異なるＰＤＣＣＨ監視オケージョングループからの各ＰＯを示す。各グループ内のＰＤＣＣＨ監視オケージョンは、時間領域１００１に対して、ＰＯ１，１、ＰＯ２，１、ＰＯ３，１、ＰＯ４，１、ＰＯ１，２、ＰＯ２，２、ＰＯ３，２、ＰＯ４，２、ＰＯ１，３、ＰＯ２，３、ＰＯ３，３、ＰＯ４，３、ＰＯ１，４、ＰＯ２，４、ＰＯ３，４およびＰＯ４，４のように、複数のＰＯに編成され、かつ交互配列される場合がある。図１０Ａに示すＰＯのインデックスは、ＰＤＣＣＨ監視オケージョングループおよびＰＯ番号である。
【００６２】
図１０Ｂは、一実施形態による異なるＰＤＣＣＨ監視オケージョングループから交互配列されないＰＯの例であり、これは、本明細書に記載する実施形態のいずれかと組み合わされて使用される場合がある。本例における各ＰＯは、多くのＰＤＣＣＨ監視オケージョンのうち１つを含む。各グループ内のＰＤＣＣＨ監視オケージョンは、時間領域１００２に対して、ＰＯ１，１、ＰＯ１，２、ＰＯ１，３、ＰＯ１，４、ＰＯ２，１、ＰＯ２，２、ＰＯ２，３、ＰＯ２，４、ＰＯ３，１、ＰＯ３，２、ＰＯ３，３、ＰＯ３，４、ＰＯ４，１、ＰＯ４，２、ＰＯ４，３およびＰＯ４，４のように、複数のＰＯに編成される場合がある。図１０Ｂに示すＰＯのインデックスは、ＰＤＣＣＨ監視オケージョングループおよびＰＯ番号である。
【００６３】
例えば、ＰＤＣＣＨ監視オケージョンの４つまでの異なるグループと関連付けられたＰＯをＵＥが監視することを可能にするために、ＰＣＣＨ−Ｃｏｎｆｉｇ  ＩＥ内に含まれるｆｉｒｓｔＰＤＣＣＨ−ＭｏｎｉｔｏｒｉｎｇＯｃｃａｓｉｏｎＯｆＰＯフィールドは、下記に示すように定められてよい。
PCCH-Config  ::=        SEQUENCE  ｛
defaultPagingCycle          PagingCycle,
nAndPagingFrameOffset        CHOICE  ｛
oneT                NULL,  
halfT                INTEGER  (0..1),
quarterT              INTEGER  (0..3),
oneEighthT              INTEGER  (0..7),
oneSixteenthT            INTEGER  (0..15)
｝,
ns                  ENUMERATED  ｛  four,  two,  one｝,
firstPDCCH-MonitoringOccasionOfPO  SEQUENCE  (SIZE  (1…4)  OF  CHOICE  ｛
sCS15KHZoneT                                SEQUENCE  (SIZE  (1..4))  OF  INTEGER  (0..139),
sCS30KHZoneT-SCS15KHZhalfT                          SEQUENCE  (SIZE  (1..4))  OF  INTEGER  (0..279),
sCS60KHZoneT-SCS30KHZhalfT-SCS15KHZquarterT                  SEQUENCE  (SIZE  (1..4))  OF  INTEGER  (0..559),
sCS120KHZoneT-SCS60KHZhalfT-SCS30KHZquarterT-SCS15KHZoneEighthT        SEQUENCE  (SIZE  (1..4))  OF  INTEGER  (0..1119),
sCS120KHZhalfT-SCS60KHZquarterT-SCS30KHZoneEighthT-SCS15KHZoneSixteenthT  SEQUENCE  (SIZE  (1..4))  OF  INTEGER  (0..2239),
sCS120KHZquarterT-SCS60KHZoneEighthT-SCS30KHZoneSixteenthT          SEQUENCE  (SIZE  (1..4))  OF  INTEGER  (0..4479),
sCS120KHZoneEighthT-SCS60KHZoneSixteenthT                  SEQUENCE  (SIZE  (1..4))  OF  INTEGER  (0..8959),
sCS120KHZoneSixteenthT                            SEQUENCE  (SIZE  (1..4))  OF  INTEGER  (0..17919)
｝  OPTIONAL,      --  Need  R
...
｝
【００６４】
【表９】
2022502918.tif 000011
【００６５】
ＵＥは、ＤＲＸサイクルの間に複数のＰＯを監視するように構成されてよく、この際、監視されるＰＯは、複数のＰＦに関連付けられてよい。一態様において、監視するＰＯは、式（ＳＦＮ＋ＰＦ＿ｏｆｆｓｅｔｍ）ｍｏｄＴ＝（ＴｄｉｖＮ）＊（ＵＥ＿ＩＤｍｏｄＮ）によって決定される場合があるＳＦＮと共にＰＦに関連付けられてよい。式中、ＰＦ＿ｏｆｆｓｅｔｍは、ＤＲＸサイクルの間に監視する１つまたは複数のＰＯを含むｍ番目のＰＦに関連付けられるオフセットである。各ＰＦ内のページングＤＣＩ用のＰＤＣＣＨ監視オケージョンのセットの開始を示すインデックス（ｉ＿ｓ）は、ｉ＿ｓ＝ｆｌｏｏｒ（ＵＥ＿ＩＤ／Ｎ）ｍｏｄＮｓによって決定されてよい。
【００６６】
使用されるＰＦ＿ｏｆｆｓｅｔｓのセットは、ブロードキャストまたは専用のシグナリングを使用して上位層によって構成されてよい。例えば、４つまでのＰＦと関連付けられたＰＯをＵＥが監視することを可能にするために、ＰＣＣＨ−Ｃｏｎｆｉｇ  ＩＥ内に含まれるｎＡｎｄＰａｇｉｎｇＦｒａｍｅＯｆｆｓｅｔフィールドは、下記に示すように定められてよい。
nAndPagingFrameOffset    CHOICE  ｛
oneT          NULL,  
halfT          SEQUENCE  (SIZE  (1..4))  OF  INTEGER  (0..1),
quarterT        SEQUENCE  (SIZE  (1..4))  OF  INTEGER  (0..3),
oneEighthT        SEQUENCE  (SIZE  (1..4))  OF  INTEGER  (0..7),
oneSixteenthT        SEQUENCE  (SIZE  (1..4))  OF  INTEGER  (0..15)
｝
【００６７】
図１１Ａは、一実施形態による連続的なＰＦの監視の例１１００であり、これは、本明細書に記載する実施形態のいずれかと組み合わされて使用される場合がある。図１１Ａの例は、各ＰＦとそのオフセット、すなわち、ＰＦ  １１０１とＰＦ＿Ｏｆｆｓｅｔ１  １１１１、ＰＦ  １１０２とＰＦ＿Ｏｆｆｓｅｔ２  １１１２、ＰＦ  １１０３とＰＦ＿Ｏｆｆｓｅｔ３  １１１３、およびＰＦ  １１０４とＰＦ＿Ｏｆｆｓｅｔ４  １１１４を示す。
【００６８】
図１１Ｂは、一実施形態による非連続的なＰＦの監視の例であり、これは、本明細書に記載する実施形態のいずれかと組み合わされて使用される場合がある。図１１Ｂの例は、各ＰＦとそのオフセット、すなわち、ＰＦ  １１２１とＰＦ＿Ｏｆｆｓｅｔ１  １１３１、ＰＦ  １１２２とＰＦ＿Ｏｆｆｓｅｔ２  １１３２、ＰＦ  １１２３とＰＦ＿Ｏｆｆｓｅｔ３  １１３３、およびＰＦ  １１２４とＰＦ＿Ｏｆｆｓｅｔ４  １１３４を示す。
【００６９】
規則ベースの方法が、ＤＲＸサイクルで監視される場合がある追加のＰＯを決定するために使用されてよい。ＤＲＸサイクルの間に監視する最初のＰＯに対応するＰＦ  ＳＦＮおよびインデックスｉ＿ｓは、式（ＳＦＮ＋ＰＦ＿ｏｆｆｓｅｔ）ｍｏｄＴ＝（ＴｄｉｖＮ）＊（ＵＥ＿ＩＤｍｏｄＮ）、およびｉ＿ｓ＝ｆｌｏｏｒ（ＵＥ＿ＩＤ／Ｎ）ｍｏｄＮｓを使用して決定されてよい。
【００７０】
例えば、ＰＯの間にページングＤＣＩを伝送するＤＬチャネルをｇＮＢが取得できなかったとＵＥが判断する場合に、ＵＥは、ＤＲＸサイクルの間に追加のＰＯを監視してもよい。ＵＥは、ＤＬチャネルをｇＮＢが取得したかどうかを判断するために、本明細書に記載する方法を使用してよい。ＤＬチャネルをｇＮＢが取得できたかどうかを判断するために使用されることがある代替方法（例えば、発見参照信号（ＤＲＳ）、チャネルアクセスインジケーション（ＣＡＩ）信号、または、ｇＮＢによって伝送されるその他のいずれかの信号の検出など）の使用も可能である。
【００７１】
態様は、次のＰＯを監視する方法を含む。ＵＥは、ＰＦに関連付けられた次のＰＯを監視してもよく、この際、次のＰＯのインデックスは、ｉ＿ｓｎｅｘｔ＿ＰＯ＝ｉ＿ｓ＋１と計算することができる。式中、ｉ＿ｓ＜（Ｎｓ−１）である。監視されるＰＯがＰＦに関連付けられた最後のＰＯであるシナリオ（ｉ＿ｓ＝（Ｎｓ−１）では、ＵＥは、ＤＲＸサイクルの間に追加のＰＯを監視することを中止してもよい。あるいは、ＵＥは、次のＰＦに関連付けられたＰＯを監視してもよく、この際、次のＰＦのＳＦＮは、ＳＦＮＮｅｘｔ＿ＰＦ＝ＳＦＮＰＦ＋ｆｌｏｏｒ（Ｔ／Ｎ）と計算することができる。
【００７２】
ＵＥは、ＤＲＸサイクルの間にｍ個までのＰＯを監視してよく、この際、ｍの数は、ブロードキャストまたは専用のシグナリングを使用して各層によって、予め定められるか、または構成されてよい。ＵＥは、ＰＦ内の２つ以上のＰＯを監視するように構成されてよい。
【００７３】
ＤＬチャネルをｇＮＢが取得できたかどうかを判断するために、ＵＥが本明細書に記載する方法、または任意の代替方法（例えば、発見参照信号（ＤＲＳ）、ＣＡＩ信号、または、ｇＮＢによって伝送されるその他のいずれかの信号の検出など）を使用することがある場合に、ＵＥがＰＯ内でＬＢＴの検出に失敗すると、ＵＥは、ＤＲＸサイクル内で、ＵＥがＬＢＴ検出に失敗した最初のＰＯの後に、次の追加のｋ個の連続するＰＯの最大数まで監視してもよい。例えば、ＵＥがＬＢＴ検出に失敗し、ＬＢＴが成功しない最初のＰＯの後に、ＵＥがＬＢＴの検出に成功する（すなわち、ＬＢＴ失敗がないことに等しい）か、またはＵＥが追加のｋ個の連続するＰＯを監視し終わるまで、ＵＥは追加のＰＯを監視してもよい。監視される追加の各ＰＯは、同じＰＦ、または異なるＰＦに属してもよい。パラメータｋは、ｇＮＢによってＵＥに対して構成されるか、または既定値に定められてもよい。パラメータｋの値は、例えば、サービス要件および／またはＵＥ電力節約設定／選好によって決められてもよい。
【００７４】
別の代替策では、ＰＯ内で、ＵＥがＬＢＴの検出に失敗する場合、ＵＥは、ＤＲＸサイクル内で、ＵＥがＬＢＴ検出に失敗した最初のＰＯの後に、次のｋ個の追加のＰＯの最大数まで監視してもよい。追加の監視される各ＰＯは、サブフレーム、スロット、ミニスロット、および／またはシンボルに換算して表される場合がある時間間隔によって、時間において互いに離れていてもよい。例えば、ＵＥがＬＢＴ検出に失敗し、ＬＢＴが成功しない最初のＰＯの後に、ＵＥがＬＢＴの検出に成功する（すなわち、ＬＢＴ失敗がないことに等しい）か、ＵＥがｋ個の連続するＰＯを監視し終わるまで、ＵＥは追加のＰＯを監視してもよい。監視される追加の各ＰＯは、同じＰＦ、または異なるＰＦに属してもよい。パラメータｋは、ｇＮＢによってＵＥに対して構成されるか、または固定値に定められてもよい。パラメータｋの値は、例えば、サービス要件および／またはＵＥ電力節約設定／選好によって決められてもよい。同様に、追加の監視されるＰＯ間の時間間隔は、ｇＮＢによってＵＥに対して構成されるか、または既定値に定められてもよい。追加の監視されるＰＯ間の時間間隔の値は、例えば、サービス要件および／またはＵＥ電力節約設定／選好によって決められてもよい。
【００７５】
ＰＯ内のＰＤＣＣＨ監視機会でＵＥがＬＢＴの検出に失敗する場合、典型的には、ＵＥは、ＤＲＸサイクル内で、ＵＥがＬＢＴ検出に失敗した最初のＰＤＣＣＨ監視機会の後に、次のｋ個の連続する追加のＰＤＣＣＨ監視機会の最大数まで監視してもよい。例えば、ＵＥがＬＢＴ検出に失敗し、ＬＢＴが成功しない最初のＰＤＣＣＨ機会の後に、ＵＥがＬＢＴの検出に成功する（すなわち、ＬＢＴ失敗がないことに等しい）か、またはＵＥが追加のｋ個の連続するＰＤＣＣＨ監視機会を監視し終わるまで、ＵＥは追加のＰＤＣＣＨ機会を監視してもよい。追加の連続するＰＤＣＣＨ監視機会は、同じＰＯおよび／または同じＰＦ、または異なるＰＯおよび／または異なるＰＦに属してもよい。さらに、追加の連続するＰＤＣＣＨ機会は、時間領域および／または周波数領域における連続するＰＤＣＣＨ機会としてインデックス付けされて構築されてよい。パラメータｋは、ｇＮＢによってＵＥに対して構成されるか、または既定値に定められてもよい。パラメータｋの値は、例えば、サービス要件および／またはＵＥ電力節約設定／選好によって決められてもよい。
【００７６】
ＰＯ内のＰＤＣＣＨ監視機会でＵＥがＬＢＴの検出に失敗する場合、典型的には、ＵＥは、ＤＲＸサイクル内で、ＵＥがＬＢＴ検出に失敗した最初のＰＤＣＣＨ監視機会の後に、次のｋ個のＰＤＣＣＨ監視機会の最大数まで監視してもよい。監視される各ＰＤＣＣＨ機会は、構成可能な時間間隔によって時間において、および／または構成距離によって周波数領域において、互いに離れていてもよい。時間領域において、ＰＤＣＣＨ監視機会間の距離は、サブフレーム、スロット、ミニスロットおよび／またはシンボルに換算して表される場合がある。例えば、ＵＥがＬＢＴ検出に失敗し、ＬＢＴが成功しない最初のＰＤＣＣＨ監視機会の後に、ＵＥがＬＢＴの検出に成功する（すなわち、ＬＢＴ失敗がないことに等しい）か、またはＵＥがｋ個の連続するＰＤＣＣＨ監視機会を監視し終わるまで、ＵＥはＰＤＣＣＨを監視してもよい。監視されるＰＤＣＣＨ監視機会は、同じＰＯおよび／または同じＰＦ、または異なるＰＯおよび／または異なるＰＦに属してもよい。さらに連続するＰＤＣＣＨ機会は、時間領域および／または周波数領域における連続するＰＤＣＣＨ機会としてインデックス付けされて構築されてよい。この場合、ＤＲＸサイクル内の追加のＰＤＣＣＨ監視機会間の距離は、２つの追加のＰＤＣＣＨ監視機会間の差に換算して表される場合がある。パラメータｋは、ｇＮＢによってＵＥに対して構成されるか、または固定値に定められてもよい。パラメータｋの値は、例えば、サービス要件および／またはＵＥ電力節約設定／選好によって決められてもよい。同様に、追加の監視されるＰＯ間の時間間隔は、ｇＮＢによってＵＥに対して構成されるか、または既定値に定められてもよい。追加の監視されるＰＯ間の時間間隔の値は、例えば、サービス要件および／またはＵＥ電力節約設定／選好によって決められてもよい。
【００７７】
ＵＥは、ＰＯの間に複数のページングＢＷＰ向けに構成されたＰＯを監視する場合があり、この際、ページングＢＷＰは、ＵＥがページング用ＰＤＣＣＨを監視することがあるＢＷＰである。共通ページング構成が、各ページングＢＷＰに対して使用されてよい。あるいは、各ページングＢＷＰに使用される構成は、独立して構成されてよい。一態様において、ｇＮＢがＰＯの間に所定のＵＥ向けに構成された２つ以上のページングＢＷＰへのアクセスを取得する場合、ｇＮＢは、アクセスを取得した全てのページングＢＷＰでＵＥをページングしてよい。次いで、ＵＥは、ｇＮＢがアクセスできたとＵＥが判断する場合があるページングＢＷＰのいずれかで、ページングＤＣＩの受信を試みてもよい。あるいは、ページングＢＷＰは、ランク付けされてよく、かつＰＯの間に所定のＵＥ向けに構成された２つ以上のページングＢＷＰへのアクセスをｇＮＢが取得する場合、ｇＮＢは、最も高いランクのページングＢＷＰを使用してＵＥをページングしてよい。次いで、ＵＥは、ｇＮＢがアクセスできたとＵＥが判断する場合がある最も高くランク付けられたページングＢＷＰで、ページングＤＣＩの受信を試みてもよい。ＤＬチャネルがサブバンドに分割されることがある（ＵＥが、ＰＯの間に複数のページングサブバンド向けに構成されたＰＯを監視することがある）シナリオに対して同じプロシージャが適用されてよい。
【００７８】
ＵＥがＤＲＸサイクルごとに監視してもよいＰＯの数を決定する際に、ページング信頼性と、ＵＥ電力消費とは、トレードオフの関係にある場合がある。ＵＥがＤＲＸサイクルごとに監視するＰＯの数の増加は、ページング信頼性を上げるが、ＵＥ電力消費も増える可能性がある。概して、電力消費を最適化するために、ＵＥは、ある特定の条件下でＤＲＸサイクルの間に次のＰＯのみを監視してもよい。
【００７９】
図１２は、一実施形態による次のＰＯが監視される必要があるかどうかを決定する場合がある例示的アルゴリズム１２００のフロー図であり、これは、本明細書に記載する実施形態のいずれかと組み合わされて使用される場合がある。ページングＤＣＩの伝送用のＤＬチャネルへのアクセスをｇＮＢが取得できなかったとＵＥが検出する場合に、ＵＥは、ＤＲＸサイクルの間に次のＰＯのみを監視してもよい。図１２の例において、ＰＯｉは、ＤＲＸサイクル内のｉ番目に監視されるＰＯに対応する場合があり、ここで、ｉ＝１は、ＤＲＸサイクル内の最初に監視されるＰＯであり、ｉ＝２は、ＤＲＸサイクル内の２番目に監視されるＰＯなどである場合がある。ＤＲＸサイクル内のｉ番目に監視されるＰＯは、ｉ＝ｍの場合、（ｉ＿ｓｍ＋１）番目のＰＯに必ずしも対応していなくてもよい。図１２を参照すると、ｍは１に設定されている（ステップ１２０１）。ＵＥがＰＯｍの間にＣＡＩを検出する場合（ステップ１２０２）、ＵＥは、該ＰＯｍを監視する（ステップ１２０５）。そうでない場合は、ＵＥは、ｍをインクリメントして（ステップ１２０３）、ｍ≦Ｎｍの場合は処理を繰り返す（ステップ１２０４）。
【００８０】
ＰＯが複数のスイープ／繰り返しを含む態様（例えば拡張ＰＯ）の場合、監視するＰＤＣＣＨ監視オケージョンの数の決定に対しても、同じメカニズムが適用可能である。
【００８１】
一部の構成において、所定のＰＯの間にページングされる必要がある場合がある全てのＵＥをページングするために、ページング処理能力が充分でない場合がある。このシナリオにおいて、ＤＲＸサイクルの間に次のＰＯをＵＥが監視することが好ましい場合がある。そのような動作を可能にするために、一態様において、ｇＮＢは、所定のＰＯの間にページングされる必要がある全てのＵＥをページングするためにページング処理能力が充分でなく、次のＰＯが監視される必要があることをシグナリングするインジケーションをＵＥに提供してもよい。一態様において、ＰＯの間にページングされる必要がある場合がある全てのＵＥをページングするために、ページング処理能力が充分でなかったことを示すために、ページングＤＣＩは、下記の表１０に示すようなページング処理能力超過などのフィールドを含んでもよい。
【００８２】
【表１０】
2022502918.tif 000012
【００８３】
図１３は、一実施形態による次のＰＯが監視される必要があるかどうかを決定する場合がある例示的アルゴリズム１３００のフロー図であり、これは、本明細書に記載する実施形態のいずれかと組み合わされて使用される場合がある。図１３の例示的アルゴリズム１３００は、ＰＯに対してページング処理能力が超過したかどうか、ＤＲＸサイクルの間に次のＰＯをＵＥが監視する必要があるかどうかを決定する際にページングメッセージにＵＥ  ＩＤが含まれていたかどうか、をチェックする場合がある。代替として、このインジケーションは、ＲＲＣを介してシグナリングされるページングメッセージ内のフィールドとして含まれてもよい。ＰＯｉは、ＤＲＸサイクル内のｉ番目に監視されるＰＯに対応する場合があり、ここで、ｉ＝１は、ＤＲＸサイクル内の最初に監視されるＰＯであり、ｉ＝２は、ＤＲＸサイクル内の２番目に監視されるＰＯなどである場合がある。ＤＲＸサイクル内のｉ番目に監視されるＰＯは、ｉ＝ｍの場合、（ｉ＿ｓｍ＋１）番目のＰＯに必ずしも対応していなくてもよい。図１３を参照すると、ｍは１に設定されている（ステップ１３０１）。ＵＥがＰＯｍの間にＣＡＩを検出する場合（ステップ１３０２）、ＵＥは、該ＰＯｍを監視する（ステップ１３０５）。そうでない場合は、ＵＥは、ｍをインクリメントして（ステップ１３０３）、ｍ≦Ｎｍの場合は処理を繰り返す（ステップ１３０４）。ＵＥは、ページングＤＣＩが受信されたかどうかを判断してもよい（ステップ１３０６）。ページングＤＣＩが受信された場合、ＵＥはページング処理能力が超過するかどうかを判断してもよい（ステップ１３０６）。ページング処理能力が超過する場合、ＵＥはページングメッセージ内に、ＵＥ  ＩＤがあるかどうかを判断してもよい（ステップ１３０８）。
【００８４】
ＮＲでは、ＰＯは、それぞれがページングＤＣＩが送信されることがあるＰＦ内の固定時間インスタンス（例えば、１つまたは複数のＯＦＤＭシンボル）に対応する場合があるＰＤＣＣＨ監視オケージョンのセットである場合がある。ＰＯ内の最初のＰＤＣＣＨ監視オケージョンの開始の前に、ＤＬチャネルをｇＮＢが取得できない場合、チャネルが、ＰＯの開始後にすぐにアイドル状態になる（例えば、ＰＯの開始後の２、３のシンボル）場合であっても、ＵＥを再びページングしようとする前に、ｇＮＢは、全てのＤＲＸサイクルを待たなければならない場合がある。ＮＲ−ＵでのＵＥのページングに関連する遅延を低減するために、一態様において、ページング監視ウィンドウ内の柔軟な開始点で始まることができるようにＰＯは定められてよい。
【００８５】
図１４は、一実施形態による例示的ページング監視ウィンドウ１４００の図であり、これは、本明細書に記載する実施形態のいずれかと組み合わされて使用される場合がある。ＰＯ１４０４の開始点、すなわち、ＰＯオフセット１４０３は、ページング監視ウィンドウ１４０２内で柔軟な位置（例えば、シンボル／スロットｘ）で起こるように定められてよい。この際、ＰＯオフセット１４０３の最大値は、例えば、ＰＣＣＨ−Ｃｏｎｆｉｇ  ＩＥに含まれるフィールドとして、ブロードキャストまたは専用のシグナリングを使用して上位層によって定められるか、または構成されてよい。
【００８６】
マルチビーム操作において、１つのＰＯの長さは、１つまたは複数のビームスイーピングの期間と定められる場合があり、かつＵＥは、同じページングメッセージがそのスイーピングパターンの全てのビームで繰り返されると想定してもよい。次に、ＰＯは、Ｓ＝（ＮＳＳＢ×Ｍ）の連続するＰＤＣＣＨ監視オケージョンのセットとして定められてもよく、
この際、ＮＳＳＢは、ＳｙｓｔｅｍＩｎｆｏｒｍａｔｉｏｎＢｌｏｃｋ１内のパラメータｓｓｂ−ＰｏｓｉｔｉｏｎｓＩｎＢｕｒｓｔに従って決定される実際に伝送されるＳＳＢの数であってよく、Ｍは、ページング伝送に使用されるスイープの数であってよい。ＰＯ内のＫ番目のページング用ＰＤＣＣＨ監視オケージョンは、（Ｋ  ｍｏｄ  ＮＳＳＢ）番目に伝送されるＳＳＢに対応する場合がある。
【００８７】
図１５は、一実施形態によるＮＳＳＢ＝３およびＭ＝３の場合のシナリオ１５００での、ＰＯの例の図であり、これは、本明細書に記載する実施形態のいずれかと組み合わされて使用される場合がある。図１５は、複数のスイープ、すなわちスイープ１  １５１１、スイープ２  １５１２、スイープ３  １５１３を含むＰＯ１５０１を示す。スイープ１  １５１１は、ビーム０  １５３０をスイープするＰＤＣＣＨ  ＭＯ０  １５２０、ビーム１  １５３１をスイープするＰＤＣＣＨ  ＭＯ１  １５２１、およびビーム２  １５３２をスイープするＰＤＣＣＨ  ＭＯ２  １５２２を含む。スイープ２  １５１２は、ビーム０  １５３０をスイープするＰＤＣＣＨ  ＭＯ３  １５２３、ビーム１  １５３１をスイープするＰＤＣＣＨ  ＭＯ４  １５２４およびビーム２  １５３２をスイープするＰＤＣＣＨ  ＭＯ５  １５２５を含む。スイープ３  １５１３は、ビーム０  １５３０をスイープするＰＤＣＣＨ  ＭＯ６  １５２６、ビーム１  １５３１をスイープするＰＤＣＣＨ  ＭＯ７  １５２７およびビーム２  １５３２をスイープするＰＤＣＣＨ  ＭＯ８  １５２８を含む。
【００８８】
代替として、ＰＯは、Ｓ＝（ＮＳＳＢ×Ｒ）の連続するＰＤＣＣＨ監視オケージョンのセットとして定められてもよく、この際、ＮＳＳＢは、ＳｙｓｔｅｍＩｎｆｏｒｍａｔｉｏｎＢｌｏｃｋ１内のパラメータｓｓｂ−ＰｏｓｉｔｉｏｎｓＩｎＢｕｒｓｔに従って決定される実際に伝送されるＳＳＢの数であってよく、Ｒは、ページング伝送に使用される繰り返しの数であってよい。この例において、ＰＯ内のＫ番目のページング用ＰＤＣＣＨ監視オケージョンは、（ｆｌｏｏｏｒ（Ｋ／Ｒ））番目に伝送されるＳＳＢに対応する場合がある。
【００８９】
図１６は、一実施形態によるＮＳＳＢ＝３およびＲ＝３の場合のシナリオ１６００での、ＰＯの例の図であり、これは、本明細書に記載する実施形態のいずれかと組み合わされて使用される場合がある。図１６は、複数のＭＯ、すなわち、ビーム０  １６２０をスイープするＰＤＣＣＨ  ＭＯ０  １６１０、ビーム０  １６２０をスイープするＰＤＣＣＨ  ＭＯ１  １６１１、およびビーム０  １６２０をスイープするＰＤＣＣＨ  ＭＯ２  １６１２、ビーム１  １６２１をスイープするＰＤＣＣＨ  ＭＯ３  １６１３、ビーム１  １６２１をスイープするＰＤＣＣＨ  ＭＯ４  １６１４、およびビーム１  １６２１をスイープするＰＤＣＣＨ  ＭＯ５  １６１５、ビーム２  １６２２をスイープするＰＤＣＣＨ  ＭＯ６  １６１６、ビーム２  １６２２をスイープするＰＤＣＣＨ  ＭＯ７  １６１７、およびビーム２  １６２２をスイープするＰＤＣＣＨ  ＭＯ８  １６１８を含むＰＯ１６０１を示す。
【００９０】
さらに別の態様において、ＰＯは、Ｓ＝（ＮＳＳＢ×Ｒ×Ｍ）の連続するＰＤＣＣＨ監視オケージョンのセットとして定められてもよく、この際、ＮＳＳＢは、ＳｙｓｔｅｍＩｎｆｏｒｍａｔｉｏｎＢｌｏｃｋ１内のパラメータｓｓｂ−ＰｏｓｉｔｉｏｎｓＩｎＢｕｒｓｔに従って決定される実際に伝送されるＳＳＢの数であってよく、Ｒは、ページング伝送に使用される繰り返しの数であってよく、また、Ｍは、ページング伝送に使用されるスイープの数であってよい。この例において、ＰＯ内のＫ番目のページング用ＰＤＣＣＨ監視オケージョンは、（ｆｌｏｏｏｒ（Ｋ  ｍｏｄ  （ＮＳＳＢ×Ｒ））／Ｒ）番目に伝送されるＳＳＢに対応する場合がある。
【００９１】
図１７は、一実施形態によるＮＳＳＢ＝３、Ｒ＝２、およびＭ＝２の場合のシナリオ１７００での、ＰＯの例の図であり、これは、本明細書に記載する実施形態のいずれかと組み合わされて使用される場合がある。図１７は、複数のスイープ、すなわちスイープ１  １７１１、スイープ２  １７１２を含むＰＯ１７０１を示す。スイープ１  １７１１は、ビーム０  １７４０をスイープするＰＤＣＣＨ  ＭＯ０  １７２０、ビーム０  １７４０をスイープするＰＤＣＣＨ  ＭＯ１  １７２１、ビーム１  １７４１をスイープするＰＤＣＣＨ  ＭＯ２  １７２２、ビーム１  １７４１をスイープするＰＤＣＣＨ  ＭＯ３  １７２３、ビーム２  １７４２をスイープするＰＤＣＣＨ  ＭＯ４  １７２４、およびビーム２  １７４２をスイープするＰＤＣＣＨ  ＭＯ５  １７２５を含む。スイープ２  １７１２はビーム０  １７４０をスイープするＰＤＣＣＨ  ＭＯ６  １７２６、ビーム０  １７４０をスイープするＰＤＣＣＨ  ＭＯ７  １７２７、ビーム１  １７４１をスイープするＰＤＣＣＨ  ＭＯ８  １７２８、ビーム１  １７４１をスイープするＰＤＣＣＨ  ＭＯ９  １７２９、ビーム２  １７４２をスイープするＰＤＣＣＨ  ＭＯ１０  １７３０、およびビーム２  １７４２をスイープするＰＤＣＣＨ  ＭＯ１１  １７３１を含む。
【００９２】
パラメータＭおよび／またはＲは、上位層、例えばＲＲＣを介してシグナリングされてよい。例えば、ＤｏｗｎｌｉｎｋＣｏｎｆｉｇＣｏｍｍｏｎＳＩＢ  ＩＥに含まれるＰＣＣＨ−Ｃｏｎｆｉｇフィールドは、これらのパラメータをシグナリングするために使用されてよい。パラメータは、連続するまたは連続していない整数値をとってもよい。例証の目的のために、パラメータＭおよびＲが、１、２、４、または８に等しい値に設定される場合があるシナリオについて、本明細書で検討する。パラメータは、以下に示すように定義されるＰＣＣＨ−Ｃｏｎｆｉｇフィールドを使用してシグナリングされてよい。この例において、パラメータＭおよびＲが明確にシグナリングされない場合、１のデフォルト値が想定されてよい。ＩＥを介してシグナリングされる他のパラメータへの拡張、例えば、追加のＳＣＳ、Ｎｓ値、Ｎ値、ＰＦオフセット値などのサポートは、下記に示されるのと類似の方式で行われてよい。
PCCH-Config  ::=  SEQUENCE  ｛
defaultPagingCycle  PagingCycle,
nAndPagingFrameOffset  CHOICE  ｛
oneT  NULL,
halfT  INTEGER  (0..1),
quarterT  INTEGER  (0..3),
oneEighthT  INTEGER  (0..7),
oneSixteenthT  INTEGER  (0..15)
｝,
Ns  ENUMERATED  ｛four,  two,  one｝,
firstPDCCH-MonitoringOccasionOfPO  CHOICE  ｛
sCS15KHZoneT
SEQUENCE  (SIZE  (1..maxPO-perPF))  OF  INTEGER  (0..139),
sCS30KHZoneT-SCS15KHZhalfT
SEQUENCE  (SIZE  (1..maxPO-perPF))  OF  INTEGER  (0..279),
sCS60KHZoneT-SCS30KHZhalfT-SCS15KHZquarterT
SEQUENCE  (SIZE  (1..maxPO-perPF))  OF  INTEGER  (0..559),
sCS120KHZoneT-SCS60KHZhalfT-SCS30KHZquarterT-SCS15KHZoneEighthT
SEQUENCE  (SIZE  (1..maxPO-perPF))  OF  INTEGER  (0..1119),
sCS120KHZhalfT-SCS60KHZquarterT-SCS30KHZoneEighthT-SCS15KHZoneSixteenthT
SEQUENCE  (SIZE  (1..maxPO-perPF))  OF  INTEGER  (0..2239),
sCS120KHZquarterT-SCS60KHZoneEighthT-SCS30KHZoneSixteenthT
SEQUENCE  (SIZE  (1..maxPO-perPF))  OF  INTEGER  (0..4479),
sCS120KHZoneEighthT-SCS60KHZoneSixteenthT
SEQUENCE  (SIZE  (1..maxPO-perPF))  OF  INTEGER  (0..8959),
sCS120KHZoneSixteenthT
SEQUENCE  (SIZE  (1..maxPO-perPF))  OF  INTEGER  (0..17919)
｝      OPTIONAL,                      --  Need  R
...,
M  ENUMERATED  ｛2,  4,  8｝  OPTIONAL,  --NEED  S
R  ENUMERATED  ｛2,  4,  8｝  OPTIONAL  --NEED  S
｝
【００９３】
上記の実施形態において、ＳｙｓｔｅｍＩｎｆｏｒｍａｔｉｏｎＢｌｏｃｋ１内のパラメータｓｓｂ−ＰｏｓｉｔｉｏｎｓＩｎＢｕｒｓｔに従って決定される伝送されるＳＳＢの数を表すために使用される表記は、ＮＳＳＢの代わりに、パラメータＳに相当する場合がある。この代替の表記は、本明細書に記載する態様では、（Ｓ×Ｍ）、（Ｓ×Ｒ）、または（Ｓ×Ｒ×Ｍ）の連続するＰＤＣＣＨ監視オケージョンのセットとして定められるＰＯに相当する。
【００９４】
本明細書に記載する複数のスイープ／繰り返しを含むＰＯを使用してページングを実施する方法の態様に従って定められたＰＯは、拡張ＰＯと呼ばれることもある。例えば、ＰＯが（Ｓ×Ｍ）の連続するＰＤＣＣＨ監視オケージョンのセットとして定められる態様について、本明細書で検討する。Ｍ＞１のシナリオでのＰＯを含む追加のＰＤＣＣＨ監視オケージョンは、ＰＯの拡張として見られる場合がある。
【００９５】
図１８は、一実施形態による拡張ＰＯの監視の例１８００であり、これは、本明細書に記載する実施形態のいずれかと組み合わされて使用される場合がある。図１８を参照すると、複数の拡張ＰＯ１８１０，１８１１，１８１２，および１８１３が示されている。ＵＥ１  １８０１は、拡張ＰＯ１８１０の間のＰＤＣＣＨ監視オケージョンを監視する場合があるが、拡張ＰＯ１８１１、１８１２および１８１３の間は監視しない。ＵＥ１７  １８０２は、拡張ＰＯ１８１１の間のＰＤＣＣＨ監視オケージョンを監視する場合があるが、拡張ＰＯ１８１０、１８１２および１８１３の間は監視しない。ＵＥ３３  １８０３は、拡張ＰＯ１８１２の間のＰＤＣＣＨ監視オケージョンを監視する場合があるが、拡張ＰＯ１８１０、１８１１および１８１３の間は監視しない。ＵＥ４９  １８０４は、拡張ＰＯ１８１３の間のＰＤＣＣＨ監視オケージョンを監視する場合があるが、拡張ＰＯ１８１０、１８１１および１８１２の間は監視しない。
【００９６】
ＰＯのセットｍ内のＫ番目のページング用ＰＤＣＣＨ監視オケージョンは、Ｋ番目に伝送されるＳＳＢに対応する場合があり、この際、ｍ＝１、２、・・・、Ｍは、ＰＯ内の連続するＰＤＣＣＨ監視オケージョンのｍ番目のセットである。これはまた、ＰＯ内の［（ｍ−１）＊Ｓ＋Ｋ］番目のページング用ＰＤＣＣＨ監視オケージョンを意味する場合がある。
【００９７】
パラメータｆｉｒｓｔＰＤＣＣＨ−ＭｏｎｉｔｏｒｉｎｇＯｃｃａｓｉｏｎＯｆＰＯが、上位層によって提供される構成、例えばＰＣＣＨ−Ｃｏｎｆｉｇ、に存在する場合、（ｉ＿ｓ＋１）番目のＰＯのＰＤＣＣＨ監視オケージョンの開始番号は、ｆｉｒｓｔＰＤＣＣＨ−ＭｏｎｉｔｏｒｉｎｇＯｃｃａｓｉｏｎＯｆＰＯパラメータの（ｉ＿ｓ＋１）番目の値であり、それ以外は、ｉ＿ｓ＊Ｓ＊Ｍに等しい。
【００９８】
表１１は、Ｔ＝３２、Ｎ＝１６、Ｎｓ＝４、Ｍ＝２およびＳ＝３のシナリオで、４つの異なるＵＥ向けの、拡張ＰＯ、および（ｉ＿ｓ＋１）番目のＰＯのＰＤＣＣＨ監視オケージョンの開始番号に対するｉ＿ｓ計算の結果を示す。この例において、ＰＦのＳＦＮは、各ＵＥに対して同じものであるが、各ＵＥは、該ＰＦ内の異なるＰＯに分散され、したがって、図１８に示すようなページング用ＰＤＣＣＨ監視オケージョンの異なるセットを監視する。
【００９９】
【表１１】
2022502918.tif 000013
【０１００】
電力消費を最適化するために、監視されるＰＤＣＣＨオケージョンの間にチャネルへのアクセスをｇＮＢが取得したと判断する場合、ＵＥは、同じＰＯに対応する次のＰＤＣＣＨ監視オケージョンを監視する必要はなく、この際、本明細書に記載するページング用ＤＬチャネルアクセスインジケーションをシグナリングする方法のいずれかを使用する場合に、ＵＥはこのことを活用できる。
【０１０１】
例えば、ＵＥがＰＯの間のＰＤＣＣＨ監視オケージョンでＰ−ＲＮＴＩによってスクランブルされたＣＲＣと共にＰＤＣＣＨ伝送を受信する場合、ｇＮＢがチャネルにアクセスできたとＵＥが想定できるので、同じＰＯに対応する次のＰＤＣＣＨ監視オケージョンを監視する必要がない。
【０１０２】
ＮＲでは、１つまたは複数のＵＥがＰＯの間にページングされる必要がある場合に、ｇＮＢはページングＤＣＩのみを伝送する場合がある。ＵＥがＰＯの間にＰ−ＲＮＴＩによってスクランブルされたＣＲＣを伴うＤＣＩフォーマット１＿０の検出に失敗する場合、ＵＥは、ページングされなかったと想定して、次のＰＯまでＤＲＸに入ってよい。一態様において、ＮＲ−Ｕでは、ＰＯの間にＵＥがページングされる必要があるかどうかにかかわらず、全てのＰＯの間にページングＤＣＩが伝送されてよいように、ｇＮＢの動作は修正されてよい。ＵＥがＰＯの間にＰ−ＲＮＴＩによってスクランブルされたＣＲＣを伴うＤＣＩフォーマット１＿０の検出に失敗する場合、ＵＥは、ページングＤＣＩを伝送するＤＬチャネルにｇＮＢがアクセスできなかったと想定してよく、かつＵＥは、それに応じて、本明細書に記載の方法を使用してそれ自体の動作を適応させてよい。ＰＯの間にＵＥによってページングＤＣＩが受信される場合、ページングＤＣＩは、そのコンテンツに従って処理されてよく（ＤＣＩ内に存在する場合、ショートメッセージが読み出される）、ＰＤＳＣＨが搬送するページングメッセージは、ページング用スケジューリング情報がＤＣＩ内に存在する場合に復号される。
【０１０３】
ページングＤＣＩが伝送されるが、ページングされるＵＥが存在しない場合のシナリオを取り扱うために、ｇＮＢは、ショートメッセージがＤＣＩ内に存在することを示してもよく、かつショートメッセージフィールドのビットは、ページングされるＵＥが無いことを示す既定値（この既定値が定められていることがある場合）に設定されてよい。
【０１０４】
あるいは、ショートメッセージインジケータフィールドが、このシナリオを例証する表１２に示すように定義されてもよい。また、さらに別の代替において、ＵＥがページングされたかどうかを示すために、ページングＤＣＩは、例えばページングインジケータなどのフィールドを含んでもよい。
【０１０５】
【表１２】
2022502918.tif 000014
【０１０６】
図１９は、一実施形態によるページングＤＣＩを使用してページング用ＤＬ  ＣＡＩをシグナリングする例示的プロシージャ１９００のフロー図であり、これは、本明細書に記載する実施形態のいずれかと組み合わされて使用される場合がある。図１９の例では、ｇＮＢは、最初の試みでＤＬチャネルへのアクセスを取得する。図１９を参照すると、ｇＮＢ１９０２はＤＬでＬＢＴを実施して、チャネルへのアクセスを取得する場合がある（ステップ１９１１）。ｇＮＢ１９０２は、ページングされるＵＥが無いことを示すために、本明細書で提案するメカニズムを使用して、ＰＯの間にページングＤＣＩを伝送してもよい（ステップ１９１２）。ＵＥ１９０１は、ページングＤＣＩを処理して、ページングされるＵＥが無いと判断し、ＤＲＸに入ってもよい（ステップ１９１３）。次のＤＲＸサイクルの間に、ｇＮＢ１９０２はＤＬでＬＢＴを実施して、チャネルへのアクセスを取得する場合がある（ステップ１９１４）。ｇＮＢ１９０２は、ページングされる１つまたは複数のＵＥがあることを示すために、本明細書で提案するメカニズムを使用して、ＰＯの間にページングＤＣＩを伝送してもよい（ステップ１９１５）。ＵＥ１９０１は、ページングＤＣＩを処理して、ページングされる１つまたは複数のＵＥがあると判断し、ＰＤＳＣＨが搬送するページングメッセージを受信する準備をしてもよい（ステップ１９１６）。ｇＮＢ１９０２は、ページングメッセージを伝送してよい（ステップ１９１７）。ＵＥ１９０１は、ページングメッセージを処理し、ページングされた場合（すなわち、ページングメッセージが、ＵＥの識別情報を伴うページング記録を含む場合）、ネットワークとの接続を（再）構築してよく、そうでない場合は、ＵＥはＤＲＸに入る（ステップ１９１８）。
【０１０７】
図２０は、一実施形態によるページングＤＣＩを使用してページング用ＤＬ  ＣＡＩをシグナリングする別の例示的プロシージャ２０００のフロー図であり、これは、本明細書に記載する実施形態のいずれかと組み合わされて使用される場合がある。図２０の例では、ｇＮＢは、最初の試みでチャネルへのアクセスを取得しないが、２回目の試みでＤＬチャネルへのアクセスを取得する。図２０を参照すると、ｇＮＢ２００２はＤＬでＬＢＴを実施するが、チャネルへのアクセスの取得に失敗する（ステップ２０１１）。ｇＮＢ２００２は、ページングＤＣＩを伝送しない（ステップ２０１２）。ＵＥ２００１は、ページングＤＣＩの復号に失敗し、ページングＤＣＩの伝送のためのＤＬチャネルにｇＮＢがアクセスできなかったと判断するが、この際、ＵＥは、本明細書に記載するメカニズムを使用して、次のＰＯを監視するためにそれ自体の動作を適応させてよい（ステップ２０１３）。同じＤＲＸサイクルの間に、ｇＮＢ２００２はＤＬでＬＢＴを実施して、チャネルへのアクセスを取得する場合がある（ステップ２０１４）。ｇＮＢ２００２は、ページングされる１つまたは複数のＵＥがあることを示すために、本明細書で提案するメカニズムを使用して、次のＰＯの間にページングＤＣＩを伝送してもよい（ステップ２０１５）。ＵＥ２００１は、ページングＤＣＩを処理して、ページングされる１つまたは複数のＵＥがあると判断し、ＰＤＳＣＨが搬送するページングメッセージを受信する準備をしてもよい（ステップ２０１６）。ｇＮＢ２００２は、ページングメッセージを伝送してよい（ステップ２０１８）。ＵＥ２００１は、ページングメッセージを処理し、ページングされた場合（すなわち、ページングメッセージが、ＵＥの識別情報を伴うページング記録を含む場合）、ネットワークとの接続を（再）構築してよく、そうでない場合は、ＵＥはＤＲＸに入る（ステップ２０１８）。
【０１０８】
別の代替において、ＰＯの間に監視されるサーチスペースのセットのいずれかで、ＵＥがＰＤＣＣＨを受信するか、またはｇＮＢによって伝送された信号、例えばＣＡＩ信号、復調参照信号（Demodulation  Reference  Signal：ＤＭＲＳ）などを検出する場合に、ＵＥは、チャネルへのアクセスをｇＮＢが取得したと判断してよい。
【０１０９】
一態様において、ＤＣＩベースのＣＡＩが使用されてよい。表１３に示すようなチャネル占有時間（Channel  Occupancy  Time：ＣＯＴ）を示すパラメータを含む新しいＤＣＩフォーマットが定められ、かつＤＬチャネルアクセスを示すために使用されるＲＮＴＩ、例えばＣＡＩ−ＲＮＴＩでマスクされたＰＤＣＣＨで伝送されてよい。
【０１１０】
【表１３】
2022502918.tif 000015
【０１１１】
別の態様において、ｇＮＢによって伝送される発見参照信号（ＤＲＳ）が、チャネルへのアクセスをｇＮＢが取得したことを示すために使用されてよい。ＤＲＳは、ＰＯの前のシンボルで伝送されてよく、かつ例えば、ＣＯＴ長、チャネルアクセスが取得されたサブバンドなどのチャネルアクセス情報を含んでもよく、それにより、ＵＥは、チャネルへのアクセスをｇＮＢが有することになるＰＤＣＣＨ監視オケージョンを判断することができる。
【０１１２】
ＮＲ−Ｕでは、ＵＥをページングする前に、ｇＮＢはＬＢＴを実施する場合がある。所定のＵＥに対して構成されたＰＯの間にチャネルをｇＮＢが取得できない場合、ＵＥを再びページングしようとする前に、ｇＮＢは、全てのＤＲＸサイクルを待たなければならない場合がある。一態様において、所定のＵＥに対して構成されたＰＯの間にチャネルをｇＮＢが取得できない場合のＵＥのページングに関連する遅延を低減するために、ＤＲＸサイクルは動的に短縮されてもよく、そうすることで、ＵＥを再びページングしようとする前に、ｇＮＢは、全てのＤＲＸサイクルを待たなくてもよい。短縮されたＤＲＸサイクルは、所定の時間の間、または例えば、いくつかの連続するＰＯの間にチャネルをｇＮＢが取得できるイベントが発生するまで有効可能である。その後、ＤＲＸサイクルは、所定の時間の間またはイベントが発生するまで有効可能である元の値か、または中間値に動的に延長されてよい。
【０１１３】
第３世代パートナーシッププロジェクト（３ＧＰＰ）は、無線アクセス、コアトランスポートネットワーク、およびサービス能力（符復号化、セキュリティ、およびサービス品質に作用するものを含む）を含む、セルラー電気通信ネットワーク技術向けに、技術的規格を策定している。最近の無線アクセス技術（ＲＡＴ）規格は、ＷＣＤＭＡ（一般に、３Ｇと称される）、ＬＴＥ（一般に、４Ｇと称される）、およびＬＴＥ−アドバンスト規格を含む。３ＧＰＰは、「５Ｇ」とも称される、新無線（ＮＲ）と呼ばれる、次世代セルラー技術の標準化への取り組みを開始している。３ＧＰＰ  ＮＲ規格開発は、次世代無線アクセス技術（新しいＲＡＴ）の規定を含むことが想定され、これは、６ＧＨｚを下回る新規のフレキシブルな無線アクセスのプロビジョンと、６ＧＨｚを上回る新規のウルトラモバイルブロードバンド無線アクセスのプロビジョンとを含むことが想定されている。フレキシブルな無線アクセスは、６ＧＨｚを下回る新しい周波数帯域における新しい非後方互換性無線アクセスで構成されることが想定され、また同じ周波数帯でまとめて多重化されて、多様な要件を伴う３ＧＰＰ  ＮＲユースケースの広範なセットに対処する場合がある異なる動作モードを含むことが予期される。ウルトラモバイルブロードバンドは、例えば、屋内用途およびホットスポット向けのウルトラモバイルブロードバンドアクセスの機会を提供する、センチ波およびミリ波の周波数帯域を含むことが想定されている。ウルトラモバイルブロードバンドは、６ＧＨｚを下回るフレキシブル無線アクセスと、特に、センチ波およびミリ波特有設計最適化を伴って、共通設計フレームワークを共有することが想定されている。
【０１１４】
３ＧＰＰは、データレート、遅延、およびモビリティに対する様々なユーザ体験要件となる、ＮＲでサポートすることが予測される種々のユースケースを特定している。ユースケースの、概略のカテゴリとしては、高度化モバイルブロードバンド（例えば、高密度エリアにおけるブロードバンドアクセス、屋内超高ブロードバンドアクセス、群集の中のブロードバンドアクセス、あらゆる場所における５０＋Ｍｂｐｓ、超低コストブロードバンドアクセス、車両内のモバイルブロードバンド）、クリティカル通信、大規模マシンタイプ通信、ネットワーク操作（例えば、ネットワークスライシング、ルーティング、移行および網間接続、エネルギー節約）、ならびに、ビークルツービークル通信（Vehicle-To-Vehicle  Communication：Ｖ２Ｖ）、ビークルツーインフラストラクチャ通信（Vehicle-To-Infrastructure  Communication：Ｖ２Ｉ）、ビークルツーネットワーク通信（Vehicle-To-Network：Ｖ２Ｎ）、ビークルツーペデストリアン通信（Vehicle-To-Pedestrian  Communication：Ｖ２Ｐ）、およびその他のエンティティとのビークル通信のうちいずれかを含む場合がある高度化ビークルツーエブリシング（Enhanced  Vehicle-To-Everything：ｅＶ２Ｘ）通信が挙げられる。これらのカテゴリにおける具体的サービスおよびアプリケーションは、例えば、いくつか例を挙げると、監視およびセンサネットワーク、デバイス遠隔制御、双方向遠隔制御、パーソナルクラウドコンピューティング、ビデオストリーミング、無線クラウドベースのオフィス、緊急対応者コネクティビティ、自動車ｅコール、災害警告、リアルタイムゲーム、多人数ビデオコール、自律運転、拡張現実、触知インターネット、および仮想現実を含む。これらのユースケースの全ておよび他のものが、本明細書で検討される。
【０１１５】
図２１Ａは、本明細書で説明および請求される方法および装置がその中で具現化される場合がある例示的通信システム１００の一実施形態を図示する。示すように、例示的通信システム１００は、無線伝送／受信ユニット（ＷＴＲＵ）１０２ａ、１０２ｂ、１０２ｃ、１０２ｄ、１０２ｅ、１０２ｆおよび／または１０２ｇ（概して、または集合的に、ＷＴＲＵ１０２と呼ばれることもある）と、無線アクセスネットワーク（ＲＡＮ）１０３／１０４／１０５／１０３ｂ／１０４ｂ／１０５ｂと、コアネットワーク１０６／１０７／１０９と、公衆交換電話ネットワーク（Public  Switched  Telephone  Network：ＰＳＴＮ）１０８と、インターネット１１０と、その他のネットワーク１１２と、Ｖ２Ｘサーバ（またはＰｒｏＳｅ機能およびサーバ）１１３とを含む場合があるが、開示される実施形態は、任意の数のＷＴＲＵ、基地局、ネットワーク、および／またはネットワーク要素が考えられることを理解されよう。ＷＴＲＵ１０２ａ、１０２ｂ、１０２ｃ、１０２ｄ、１０２ｅ、１０２ｆ、１０２ｇはそれぞれ、無線環境で動作および／または通信するように構成された任意のタイプの装置またはデバイスであってよい。各ＷＴＲＵ１０２ａ、１０２ｂ、１０２ｃ、１０２ｄ、１０２ｅ、１０２ｆ、１０２ｇは、ハンドヘルド無線通信装置として図２１Ａから２１Ｅに描写されるが、５Ｇ無線通信で考えられる様々なユースケースで、各ＷＴＲＵは、一例にすぎないが、ユーザ端末（ＵＥ）、移動局、固定またはモバイルサブスクライバユニット、ポケットベル、セルラー電話、携帯情報端末（Personal  Digital  Assistant：ＰＤＡ）、スマートフォン、ラップトップ、タブレット、ネットブック、ノートブックコンピュータ、パーソナルコンピュータ、無線センサ、大衆消費電子製品、スマートウォッチまたはスマート衣類などのウェアラブルデバイス、医療またはｅ健康デバイス、ロボット、産業機器、ドローン、例えば、車、トラック、電車、または飛行機の乗物などを含む、無線信号を伝送および／または受信するように構成されている任意のタイプの装置またはデバイスを備えている、またはそれらで具現化される場合があることを理解されよう。
【０１１６】
通信システム１００はまた、基地局１１４ａおよび基地局１１４ｂを含んでよい。基地局１１４ａは、ＷＴＲＵ１０２ａ、１０２ｂ、１０２ｃのうちの少なくとも１つと無線でインターフェースをとり、コアネットワーク１０６／１０７／１０９、インターネット１１０、および／またはその他のネットワーク１１２などの１つまたは複数の通信ネットワークへのアクセスを促進するように構成された任意のタイプのデバイスであってもよい。基地局１１４ｂは、ＲＲＨ（遠隔無線ヘッド）１１８ａ、１１８ｂ、ＴＲＰ（送受信ポイント）１１９ａ、１１９ｂおよび／またはＲＳＵ（ロードサイドユニット）１２０ａおよび１２０ｂのうちの少なくとも１つと有線および／または無線でインターフェースをとり、コアネットワーク１０６／１０７／１０９、インターネット１１０、その他のネットワーク１１２および／またはＶ２Ｘサーバ（またはＰｒｏＳｅ機能およびサーバ）１１３などの１つまたは複数の通信ネットワークへのアクセスを促進するように構成された任意のタイプのデバイスであってもよい。ＲＲＨ１１８ａ、１１８ｂは、ＷＴＲＵ１０２ｃのうちの少なくとも１つと無線でインターフェースをとり、コアネットワーク１０６／１０７／１０９、インターネット１１０、および／またはその他のネットワーク１１２などの１つまたは複数の通信ネットワークへのアクセスを促進するように構成された任意のタイプのデバイスであってもよい。ＴＲＰ１１９ａ、１１９ｂは、ＷＴＲＵ１０２ｄのうちの少なくとも１つと無線でインターフェースをとり、コアネットワーク１０６／１０７／１０９、インターネット１１０、および／またはその他のネットワーク１１２などの１つまたは複数の通信ネットワークへのアクセスを促進するように構成された任意のタイプのデバイスであってもよい。ＲＳＵ１２０ａおよび１２０ｂは、ＷＴＲＵ１０２ｅまたは１０２ｆのうちの少なくとも１つと無線でインターフェースをとり、コアネットワーク１０６／１０７／１０９、インターネット１１０、その他のネットワーク１１２および／またはＶ２Ｘサーバ（またはＰｒｏＳｅ機能およびサーバ）１１３などの１つまたは複数の通信ネットワークへのアクセスを促進するように構成された任意のタイプのデバイスであってもよい。一例として、基地局１１４ａ、１１４ｂは、送受信機基地局（Base  Transceiver  Station：ＢＴＳ）、Ｎｏｄｅ−Ｂ、ｅＮｏｄｅ  Ｂ、ホームＮｏｄｅ  Ｂ、ホームｅＮｏｄｅ  Ｂ、サイトコントローラ、アクセスポイント（Access  Point：ＡＰ）、無線ルータなどであってもよい。基地局１１４ａ、１１４ｂはそれぞれ単一の要素として描写されているが、基地局１１４ａ、１１４ｂは、任意の数の相互接続される基地局および／またはネットワーク要素を含む場合があることを理解されよう。
【０１１７】
基地局１１４ａは、ＲＡＮ１０３／１０４／１０５の一部である場合があり、それらＲＡＮはまた、基地局コントローラ（Base  Station  Controller：ＢＳＣ）、無線ネットワークコントローラ（Radio  Network  Controller：ＲＮＣ）、中継ノードなどの、他の基地局および／またはネットワーク要素（図示せず）をも含んでよい。基地局１１４ｂは、ＲＡＮ１０３ｂ／１０４ｂ／１０５ｂの一部である場合があり、それらＲＡＮはまた、基地局コントローラ（ＢＳＣ）、無線ネットワークコントローラ（ＲＮＣ）、中継ノードなどの、他の基地局および／またはネットワーク要素（図示せず）をも含んでよい。基地局１１４ａは、セルと呼ばれることもある特定の地理的領域（図示せず）内で無線信号を伝送および／または受信するように構成されてよい。基地局１１４ｂは、セルと呼ばれることもある特定の地理的領域（図示せず）内で有線および／または無線信号を伝送および／または受信するように構成されてよい。セルは、セルセクタにさらに分割されてよい。例えば、基地局１１４ａに関連付けられたセルは、３つのセクタに分割されてよい。したがって、一実施形態において、基地局１１４ａは、例えば、セルのセクタ毎に１つの、３つの送受信機を備える場合がある。一実施形態において、基地局１１４ａは、多入力多出力（Multiple-Input  Multiple  Output：ＭＩＭＯ）技術を採用する場合があり、したがって、セルのセクタ毎に複数の送受信機を利用することがある。
【０１１８】
基地局１１４ａは、任意の好適な無線通信リンク（例えば、高周波（Radio  Frequency：ＲＦ）、マイクロ波、赤外線（Infrared：ＩＲ）、紫外線（Ultraviolet：ＵＶ）、可視光、センチ波、ミリ波など）であることがあるエアインターフェース１１５／１１６／１１７を通してＷＴＲＵ１０２ａ、１０２ｂ、１０２ｃのうちの１つまたは複数と通信する場合がある。エアインターフェース１１５／１１６／１１７は、任意の好適な無線アクセス技術（ＲＡＴ）を使用して確立されてよい。
【０１１９】
基地局１１４ｂは、任意の好適な有線（例えば、ケーブル、光ファイバーなど）または無線通信リンク（例えば、高周波（ＲＦ）、マイクロ波、赤外線（ＩＲ）、紫外線（ＵＶ）、可視光、センチ波、ミリ波など）であることがある、有線またはエアインターフェース１１５ｂ／１１６ｂ／１１７ｂを通してＲＲＨ１１８ａ、１１８ｂ、ＴＲＰ１１９ａ、１１９ｂおよび／またはＲＳＵ１２０ａ、１２０ｂのうち１つまたは複数と通信する場合がある。エアインターフェース１１５ｂ／１１６ｂ／１１７ｂは、任意の好適な無線アクセス技術（ＲＡＴ）を使用して確立されてよい。
【０１２０】
ＲＲＨ１１８ａ、１１８ｂ、ＴＲＰ１１９ａ、１１９ｂおよび／またはＲＳＵ１２０ａ、１２０ｂ、は、任意の好適な無線通信リンク（例えば、高周波（ＲＦ）、マイクロ波、赤外線（ＩＲ）、紫外線（ＵＶ）、可視光、センチ波、ミリ波など）であることがある、エアインターフェース１１５ｃ／１１６ｃ／１１７ｃを通してＷＴＲＵ１０２ｃ、１０２ｄ、１０２ｅ、１０２ｆのうちの１つまたは複数と通信する場合がある。エアインターフェース１１５ｃ／１１６ｃ／１１７ｃは、任意の好適な無線アクセス技術（ＲＡＴ）を使用して確立されてよい。
【０１２１】
ＷＴＲＵ１０２ａ、１０２ｂ、１０２ｃ、１０２ｄ、１０２ｅ、１０２ｆおよび／または１０２ｇは、任意の好適な無線通信リンク（例えば、高周波（ＲＦ）、マイクロ波、赤外線（ＩＲ）、紫外線（ＵＶ）、可視光、センチ波、ミリ波など）であることがある、エアインターフェース１１５ｄ／１１６ｄ／１１７ｄ（図示せず）を通して相互に通信する場合がある。エアインターフェース１１５ｄ／１１６ｄ／１１７ｄは、任意の好適な無線アクセス技術（ＲＡＴ）を使用して確立されてよい。
【０１２２】
より詳細には、上記のように、通信システム１００は、複数のアクセスシステムであってもよく、かつＣＤＭＡ、ＴＤＭＡ、ＦＤＭＡ、ＯＦＤＭＡ、ＳＣ−ＦＤＭＡなどの１つまたは複数のチャネルアクセススキームを採用してもよい。例えば、ＲＡＮ１０３／１０４／１０５内の基地局１１４ａとＷＴＲＵ１０２ａ、１０２ｂ、１０２ｃとは、または、ＲＡＮ１０３ｂ／１０４ｂ／１０５ｂ内のＲＲＨ１１８ａ、１１８ｂ、ＴＲＰ１１９ａ、１１９ｂおよびＲＳＵ１２０ａ、１２０ｂとＷＴＲＵ１０２ｃ、１０２ｄ、１０２ｅ、１０２ｆとは、ユニバーサルモバイル電気通信システム（Universal  Mobile  Telecommunications  System：ＵＭＴＳ）、地上無線アクセス（Universal  Terrestrial  Radio  Access：ＵＴＲＡ）などの無線技術を実装してよく、それにより、広帯域ＣＤＭＡ（Wideband  CDMA：ＷＣＤＭＡ）を使用して、エアインターフェース１１５／１１６／１１７または１１５ｃ／１１６ｃ／１１７ｃをそれぞれ確立することができる。ＷＣＤＭＡは、高速パケットアクセス（High-Speed  Packet  Access：ＨＳＰＡ）および／または発展型ＨＳＰＡ（Evolved  HSPA：ＨＳＰＡ＋）などの通信プロトコルを含んでもよい。ＨＳＰＡは、高速下りリンクパケットアクセス（High-Speed  Downlink  Packet  Access：ＨＳＤＰＡ）および／または高速上りリンクパケットアクセス（High-Speed  Uplink  Packet  Access：ＨＳＵＰＡ）を含んでもよい。
【０１２３】
一実施形態において、基地局１１４ａとＷＴＲＵ１０２ａ、１０２ｂ、１０２ｃとは、または、ＲＡＮ１０３ｂ／１０４ｂ／１０５ｂ内のＲＲＨ１１８ａ、１１８ｂ、ＴＲＰ１１９ａ、１１９ｂおよび／またはＲＳＵ１２０ａ、１２０ｂとＷＴＲＵ１０２ｃ、１０２ｄとは、発展型ＵＭＴＳ地上無線アクセス（Evolved  UMTS  Terrestrial  Radio  Access：Ｅ−ＵＴＲＡ）などの無線技術を実装してよく、それにより、ロングタームエボリューション（ＬＴＥ）および／またはＬＴＥ−アドバンスト（LTE-Advanced：ＬＴＥ−Ａ）を使用して、エアインターフェース１１５／１１６／１１７または１１５ｃ／１１６ｃ／１１７ｃをそれぞれ確立することができる。将来的に、エアインターフェース１１５／１１６／１１７は、３ＧＰＰ  ＮＲ技術を実装する可能性がある。ＬＴＥおよびＬＴＥ−Ａ技術は、（サイドリンク通信などの）ＬＴＥ  Ｄ２ＤおよびＶ２Ｘ技術およびインターフェースを含む。３ＧＰＰ  ＮＲ技術は、（サイドリンク通信などの）ＮＲ  Ｖ２Ｘ技術およびインターフェースを含む。
【０１２４】
一実施形態において、ＲＡＮ１０３／１０４／１０５内の基地局１１４ａと、ＷＴＲＵ１０２ａ、１０２ｂ、１０２ｃとは、または、ＲＡＮ１０３ｂ／１０４ｂ／１０５ｂ内のＲＲＨ１１８ａ、１１８ｂ、ＴＲＰ１１９ａ、１１９ｂおよび／またはＲＳＵ１２０ａ、１２０ｂとＷＴＲＵ１０２ｃ、１０２ｄ、１０２ｅ、１０２ｆとは、ＩＥＥＥ８０２．１６（例えば、ワールドワイド・インターオペラビリティ・フォー・マイクロウェーブ・アクセス（Worldwide  Interoperability  For  Microwave  Access：ＷｉＭＡＸ））、ＣＤＭＡ２０００、ＣＤＭＡ２０００  １Ｘ、ＣＤＭＡ２０００  ＥＶ−ＤＯ、暫定規格２０００（Interim  Standard  2000：ＩＳ−２０００）、暫定規格９５（ＩＳ−９５）、暫定規格８５６（ＩＳ−８５６）、モバイル通信用グローバルシステム（Global  System  For  Mobile  Communications：ＧＳＭ（登録商標））、ＧＳＭ進化型高速データレート（Enhanced  Data  Rates  For  GSM  Evolution：ＥＤＧＥ）、ＧＳＭ  ＥＤＧＥ（ＧＥＲＡＮ）などの無線技術を実装してもよい。
【０１２５】
図２１Ａの基地局１１４ｃは、無線ルータ、ホームＮｏｄｅＢ、ホームｅＮｏｄｅＢ、またはアクセスポイントであってもよく、例えば、事業所、家、車両、キャンパスなどの場所などの局所エリア内の無線コネクティビティを促進するために、任意の好適なＲＡＴを利用してもよい。一実施形態では、基地局１１４ｃとＷＴＲＵ１０２ｅとは、ＩＥＥＥ８０２．１１などの無線技術を実装して、無線ローカルエリアネットワーク（Wireless  Local  Area  Network：ＷＬＡＮ）を確立してもよい。一実施形態において、基地局１１４ｃとＷＴＲＵ１０２ｄとは、ＩＥＥＥ８０２．１５などの無線技術を実装して、無線パーソナルエリアネットワーク（Wireless  Personal  Area  Network：ＷＰＡＮ）を確立してもよい。さらに別の一実施形態では、基地局１１４ｃとＷＴＲＵ１０２ｅとは、セルラーベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立してもよい。図２１Ａに示すように、基地局１１４ｂは、インターネット１１０への直接接続を有する場合がある。したがって、基地局１１４ｃは、コアネットワーク１０６／１０７／１０９を介してインターネット１１０にアクセスする必要がない場合がある。
【０１２６】
ＲＡＮ１０３／１０４／１０５および／またはＲＡＮ１０３ｂ／１０４ｂ／１０５ｂは、コアネットワーク１０６／１０７／１０９と通信する場合があり、そのコアネットワークは、音声、データ、アプリケーション、および／またはボイスオーバーインターネットプロトコル（Voice  Over  Internet  Protocol：ＶｏＩＰ）サービスをＷＴＲＵ１０２ａ、１０２ｂ、１０２ｃ、１０２ｄのうちの１つまたは複数に提供するように構成される任意のタイプのネットワークであってもよい。例えば、コアネットワーク１０６／１０７／１０９は、コール制御、請求サービス、モバイル位置ベースサービス、プリペイドコール、インターネットコネクティビティ、ビデオ配信などを提供するか、および／またはユーザ認証などの高レベルセキュリティ機能を実施してもよい。
【０１２７】
図２１Ａでは図示されていないが、ＲＡＮ１０３／１０４／１０５および／またはＲＡＮ１０３ｂ／１０４ｂ／１０５ｂおよび／またはコアネットワーク１０６／１０７／１０９は、ＲＡＮ１０３／１０４／１０５および／またはＲＡＮ１０３ｂ／１０４ｂ／１０５ｂと同じＲＡＴまたは異なるＲＡＴを採用する他のＲＡＮと直接または間接通信してもよいことを理解されよう。例えば、Ｅ−ＵＴＲＡ無線技術を利用することがあるＲＡＮ１０３／１０４／１０５および／またはＲＡＮ１０３ｂ／１０４ｂ／１０５ｂに接続されることに加え、コアネットワーク１０６／１０７／１０９はまた、ＧＳＭ無線技術を採用する別のＲＡＮ（図示せず）と通信してもよい。
【０１２８】
コアネットワーク１０６／１０７／１０９はまた、ＷＴＲＵ１０２ａ、１０２ｂ、１０２ｃ、１０２ｄ、１０２ｅがＰＳＴＮ１０８、インターネット１１０、および／またはその他のネットワーク１１２にアクセスするために、ゲートウェイとして機能してもよい。ＰＳＴＮ１０８は、基本電話サービス（Plain  Old  Telephone  Service：ＰＯＴＳ）を提供する回線交換電話ネットワークを含んでもよい。インターネット１１０は、伝送制御プロトコル（Transmission  Control  Protocol：ＴＣＰ）、ユーザデータグラムプロトコル（User  Datagram  Protocol：ＵＤＰ）、およびＴＣＰ／ＩＰインターネットプロトコルスイートのインターネットプロトコル（Internet  Protocol：ＩＰ）などの共通通信プロトコルを使用する、相互接続されたコンピュータネットワークおよびデバイスのグローバルシステムを含んでもよい。ネットワーク１１２は、他のサービスプロバイダによって所有および／または操作される、有線または無線通信ネットワークを含んでもよい。例えば、ネットワーク１１２は、ＲＡＮ１０３／１０４／１０５および／またはＲＡＮ１０３ｂ／１０４ｂ／１０５ｂと同じＲＡＴまたは異なるＲＡＴを採用することがある１つまたは複数のＲＡＮに接続される別のコアネットワークを含んでもよい。
【０１２９】
通信システム１００内の、マルチモード能力を含む場合があるＷＴＲＵ１０２ａ、１０２ｂ、１０２ｃ、１０２ｄの一部または全て、例えば、ＷＴＲＵ１０２ａ、１０２ｂ、１０２ｃ、１０２ｄ、１０２ｅは、異なる無線リンクを通して異なる無線ネットワークと通信する複数の送受信機を含む場合がある。例えば、図２１Ａに示すＷＴＲＵ１０２ｅは、セルラーベースの無線技術を採用することがある基地局１１４ａ、およびＩＥＥＥ８０２無線技術を採用することがある基地局１１４ｃと通信するように構成されてもよい。
【０１３０】
図２１Ｂは、例えば、ＷＴＲＵ１０２など、本明細書に例示する実施形態に従って無線通信のために構成された例示的装置またはデバイスのブロック図である。図２１Ｂに示すように、例示的ＷＴＲＵ１０２は、プロセッサ１１８、送受信機１２０、伝送／受信要素１２２、スピーカ／マイクロホン１２４、キーパッド１２６、ディスプレイ／タッチパッド／インジケータ１２８、非取り外し可能メモリ１３０、取り外し可能メモリ１３２、電源１３４、全地球測位システム（Global  Positioning  System：ＧＰＳ）チップセット１３６、および他の周辺機器１３８を備えてもよい。ＷＴＲＵ１０２は、実施形態と一致したままで、上述の要素の任意の副次的組み合わせを含んでもよいことを理解されたい。また、実施形態は、限定ではないが、とりわけ、送受信機基地局（ＢＴＳ）、Ｎｏｄｅ−Ｂ、サイトコントローラ、アクセスポイント（ＡＰ）、ホームＮｏｄｅ−Ｂ、発展型ホームＮｏｄｅ−Ｂ（Evolved  Home  Node-B：ｅＮｏｄｅＢ）、ホーム発展型Ｎｏｄｅ−Ｂ（Home  Evolved  Node-B：ＨｅＮＢ）、ホーム発展型Ｎｏｄｅ−Ｂゲートウェイ、およびプロキシノードなどの基地局１１４ａおよび１１４ｂ、および／または基地局１１４ａおよび１１４ｂを意味する場合があるノードは、図２１Ｂに描写され、本明細書に記載する要素の一部または全部を含む場合があることが考えられる。
【０１３１】
プロセッサ１１８は、汎用プロセッサ、特殊目的プロセッサ、従来のプロセッサ、デジタル信号プロセッサ（Digital  Signal  Processor：ＤＳＰ）、複数のマイクロプロセッサ、ＤＳＰコアに関連付けられた１つまたは複数のマイクロプロセッサ、コントローラ、マイクロコントローラ、特定用途向け集積回路（Application  Specific  Integrated  Circuit：ＡＳＩＣ）、フィールドプログラマブルゲートアレイ（Field  Programmable  Gate  Array：ＦＰＧＡ）回路、任意の他のタイプの集積回路（Integrated  Circuit：ＩＣ）、状態マシンなどであってよい。プロセッサ１１８は、信号コーディング、データ処理、電力制御、入力／出力処理、および／またはＷＴＲＵ１０２が無線環境内で動作することを可能にする任意の他の機能性を実施してもよい。プロセッサ１１８は、伝送／受信要素１２２に連結されることがある、送受信機１２０に連結されてもよい。図２１Ｂでは、別個のコンポーネントとしてプロセッサ１１８と送受信機１２０とを示しているが、プロセッサ１１８と送受信機１２０とが、電子パッケージまたはチップ内に一緒に統合されてもよいことを理解されよう。
【０１３２】
伝送／受信要素１２２は、エアインターフェース１１５／１１６／１１７を通して基地局（例えば、基地局１１４ａ）へ信号を伝送する、またはそこから信号を受信するように構成されてよい。例えば、一実施形態において、伝送／受信要素１２２は、ＲＦ信号を伝送および／または受信するように構成されるアンテナであってもよい。一実施形態において、伝送／受信要素１２２は、例えば、ＩＲ、ＵＶ、もしくは可視光信号を伝送および／または受信するように構成されたエミッタ／検出器であってもよい。さらなる一実施形態において、伝送／受信要素１２２は、ＲＦおよび光信号の両方を伝送および受信するように構成されてよい。伝送／受信要素１２２は、無線信号の任意の組み合わせを伝送および／または受信するように構成される場合があることを理解されよう。
【０１３３】
加えて、伝送／受信要素１２２は、単一の要素として図２１Ｂで描写されているが、ＷＴＲＵ１０２は、任意の数の伝送／受信要素１２２を含んでもよい。より具体的には、ＷＴＲＵ１０２は、ＭＩＭＯ技術を採用してもよい。したがって、一実施形態において、ＷＴＲＵ１０２は、エアインターフェース１１５／１１６／１１７を通して無線信号を伝送および受信するために、２つ以上の伝送／受信要素１２２（例えば、複数のアンテナ）を含んでもよい。
【０１３４】
送受信機１２０は、伝送／受信要素１２２によって伝送されることになる信号を変調し、かつ伝送／受信要素１２２によって受信される信号を復調するように構成されてよい。上記のように、ＷＴＲＵ１０２は、マルチモード能力を有する場合がある。したがって、送受信機１２０は、ＷＴＲＵ１０２が、例えば、ＵＴＲＡおよびＩＥＥＥ８０２．１１などの複数のＲＡＴを介して通信することを可能にするために、複数の送受信機を備えてもよい。
【０１３５】
ＷＴＲＵ１０２のプロセッサ１１８は、スピーカ／マイクロホン１２４、キーパッド１２６、および／またはディスプレイ／タッチパッド／インジケータ１２８（例えば、液晶ディスプレイ（Liquid  Crystal  Display：ＬＣＤ）ディスプレイ装置または有機発光ダイオード（Organic  Light-Emitting  Diode：ＯＬＥＤ）ディスプレイ装置）に連結されて、そこからユーザ入力データを受信してもよい。プロセッサ１１８はまた、ユーザデータをスピーカ／マイクロホン１２４、キーパッド１２６、および／またはディスプレイ／タッチパッド／インジケータ１２８に出力してもよい。加えて、プロセッサ１１８は、非取り外し可能メモリ１３０および／または取り外し可能メモリ１３２などの任意のタイプの好適なメモリから情報にアクセスし、それの中にデータを記憶してもよい。非取り外し可能メモリ１３０としては、ランダムアクセスメモリ（Random-Access  Memory：ＲＡＭ）、読み取り専用メモリ（Read-Only  Memory：ＲＯＭ）、ハードディスク、または任意の他のタイプのメモリ記憶デバイスを挙げてもよい。取り外し可能メモリ１３２としては、加入者識別モジュール（Subscriber  Identity  Module：ＳＩＭ）カード、メモリスティック、セキュアデジタル（Secure  Digital：ＳＤ）メモリカードなどを挙げてもよい。一実施形態において、プロセッサ１１８は、サーバまたはホームコンピュータ（図示せず）内など、ＷＴＲＵ１０２上に物理的に設置されていないメモリの情報にアクセスし、そこにデータを記憶してもよい。
【０１３６】
プロセッサ１１８は、電源１３４から電力を得てもよく、ＷＴＲＵ１０２内のその他のコンポーネントへの電力を分配および／または制御するように構成されてよい。電源１３４は、ＷＴＲＵ１０２に給電する任意の好適なデバイスであってよい。例えば、電源１３４は、１つまたは複数の乾電池、太陽電池、燃料電池などを含んでもよい。
【０１３７】
プロセッサ１１８はまた、ＷＴＲＵ１０２の現在位置に関する位置情報（例えば、経度および緯度）を提供するように構成されることがあるＧＰＳチップセット１３６に連結されてもよい。ＧＰＳチップセット１３６からの情報に加えて、またはその代わりに、ＷＴＲＵ１０２は、エアインターフェース１１５／１１６／１１７を通して基地局（例えば、基地局１１４ａ、１１４ｂ）から位置情報を受信し、および／または２つ以上の近傍基地局から受信されている信号のタイミングに基づいて、その位置を決定してもよい。ＷＴＲＵ１０２は、実施形態と一致したままで任意の好適な位置特定方法によって位置情報を取得してもよいことを理解されるであろう。
【０１３８】
プロセッサ１１８はさらに、追加の特徴、機能性、もしくは有線または無線コネクティビティを提供する１つまたは複数のソフトウェアおよび／またはハードウェアモジュールを含む場合がある他の周辺機器１３８に連結されてもよい。例えば、周辺機器１３８は、加速度計、バイオメトリック（例えば、指紋）センサなどの種々のセンサ、ｅ−コンパス、衛星送受信機、デジタルカメラ（写真またはビデオ用）、ユニバーサルシリアルバス（Universal  Serial  Bus：ＵＳＢ）ポートまたは他の相互接続インターフェース、振動デバイス、テレビ送受信機、ハンズフリーヘッドセット、Ｂｌｕｅｔｏｏｔｈ（登録商標）モジュール、周波数変調（Frequency  Modulated：ＦＭ）無線ユニット、デジタル音楽プレーヤ、メディアプレーヤ、ビデオゲームプレーヤモジュール、インターネットブラウザなどを含んでもよい。
【０１３９】
ＷＴＲＵ１０２は、センサ、大衆消費電子製品、スマートウォッチまたはスマート衣類などのウェアラブルデバイス、医療またはｅ健康デバイス、ロボット、産業機器、ドローン、車、トラック、電車、または飛行機などの乗物などの他の装置もしくはデバイスに具現化されてもよい。ＷＴＲＵ１０２は、周辺機器１３８のうちの１つを備えることがある相互接続インターフェースなどの１つまたは複数の相互接続インターフェースを介して、このような装置もしくはデバイスの他のコンポーネント、モジュール、またはシステムに接続してもよい。
【０１４０】
図２１Ｃは、一実施形態によるＲＡＮ１０３およびコアネットワーク１０６のシステム図である。上記のように、ＲＡＮ１０３はＵＴＲＡ無線技術を採用して、エアインターフェース１１５を通してＷＴＲＵ１０２ａ、１０２ｂおよび１０２ｃと通信してよい。ＲＡＮ１０３はまた、コアネットワーク１０６と通信してもよい。図２１Ｃに示すように、ＲＡＮ１０３は、エアインターフェース１１５を通してＷＴＲＵ１０２ａ、１０２ｂ、１０２ｃと通信するための１つまたは複数の送受信機をそれぞれ含むことがある、Ｎｏｄｅ−Ｂ１４０ａ、１４０ｂ、１４０ｃを備えてもよい。Ｎｏｄｅ−Ｂ１４０ａ、１４０ｂ、１４０ｃはそれぞれ、ＲＡＮ１０３内の特定のセル（図示せず）に関連付けられてよい。ＲＡＮ１０３はまた、ＲＮＣ１４２ａ、１４２ｂを含んでもよい。ＲＡＮ１０３は、実施形態と一致したままで、任意の数のＮｏｄｅ−ＢおよびＲＮＣを含む場合があることを理解されよう。
【０１４１】
図２１Ｃに示すように、Ｎｏｄｅ−Ｂ１４０ａ、１４０ｂは、ＲＮＣ１４２ａと通信してもよい。加えて、Ｎｏｄｅ−Ｂ１４０ｃは、ＲＮＣ１４２ｂと通信してもよい。Ｎｏｄｅ−Ｂ１４０ａ、１４０ｂ、１４０ｃは、Ｉｕｂインターフェースを介して、対応するＲＮＣ１４２ａ、１４２ｂと通信してもよい。ＲＮＣ１４２ａ、１４２ｂは、Ｉｕｒインターフェースを介して、相互に通信してもよい。ＲＮＣ１４２ａ、１４２ｂのそれぞれは、接続されているそれぞれのＮｏｄｅ−Ｂ１４０ａ、１４０ｂ、１４０ｃを制御するように構成されてよい。加えて、ＲＮＣ１４２ａ、１４２ｂのそれぞれは、アウターループ電力制御、負荷制御、受付制御、パケットスケジューリング、ハンドオーバ制御、マクロダイバーシチ、セキュリティ機能、データ暗号化などの他の機能を実行、またはサポートするように構成されてよい。
【０１４２】
図２１Ｃに示すコアネットワーク１０６は、メディアゲートウェイ（Media  Gateway：ＭＧＷ）１４４、移動通信交換局（Mobile  Switching  Center  ：ＭＳＣ）１４６、サービングＧＰＲＳサポートノード（Serving  GPRS  Support  Node：ＳＧＳＮ）１４８、および／またはゲートウェイＧＰＲＳサポートノード（Gateway  GPRS  Support  Node：ＧＧＳＮ）１５０を含んでもよい。上述の要素のそれぞれが、コアネットワーク１０６の一部として表されているが、これらの要素のうちの任意の１つは、コアネットワークオペレータ以外のエンティティによって所有および／または操作される場合があることを理解されよう。
【０１４３】
ＲＡＮ１０３内のＲＮＣ１４２ａは、ＩｕＣＳインターフェースを介して、コアネットワーク１０６内のＭＳＣ１４６に接続されてよい。ＭＳＣ１４６は、ＭＧＷ１４４に接続されてよい。ＭＳＣ１４６およびＭＧＷ１４４は、ＷＴＲＵ１０２ａ、１０２ｂ、１０２ｃに、ＰＳＴＮ１０８などの回線交換ネットワークへのアクセスを提供し、ＷＴＲＵ１０２ａ、１０２ｂ、１０２ｃと従来の地上通信デバイスとの間の通信を促進してもよい。
【０１４４】
ＲＡＮ１０３内のＲＮＣ１４２ａはまた、ＩｕＰＳインターフェースを介して、コアネットワーク１０６内のＳＧＳＮ１４８に接続されてよい。ＳＧＳＮ１４８は、ＧＧＳＮ１５０に接続されてよい。ＳＧＳＮ１４８およびＧＧＳＮ１５０は、ＷＴＲＵ１０２ａ、１０２ｂ、１０２ｃに、インターネット１１０などのパケット交換ネットワークへのアクセスを提供し、ＷＴＲＵ１０２ａ、１０２ｂ、１０２ｃとＩＰ対応デバイスとの間の通信を促進してもよい。
【０１４５】
上記のように、コアネットワーク１０６はまた、他のサービスプロバイダによって所有および／または操作される他の有線または無線ネットワークを含むことがあるネットワーク１１２に接続されてよい。
【０１４６】
図２１Ｄは、一実施形態によるＲＡＮ１０４およびコアネットワーク１０７のシステム図である。上記のように、ＲＡＮ１０４は、Ｅ−ＵＴＲＡ無線技術を採用し、エアインターフェース１１６を通してＷＴＲＵ１０２ａ、１０２ｂおよび１０２ｃと通信してよい。ＲＡＮ１０４はまた、コアネットワーク１０７と通信してもよい。
【０１４７】
ＲＡＮ１０４は、ｅＮｏｄｅＢ１６０ａ、１６０ｂ、１６０ｃを含むことがあるが、ＲＡＮ１０４は、実施形態と一致したままで、任意の数のｅＮｏｄｅＢを含んでもよいことを理解されるであろう。ｅＮｏｄｅＢ１６０ａ、１６０ｂ、１６０ｃはそれぞれ、エアインターフェース１１６を通してＷＴＲＵ１０２ａ、１０２ｂ、１０２ｃと通信するために、１つまたは複数の送受信機を備えていてもよい。一実施形態において、ｅＮｏｄｅ−Ｂ１６０ａ、１６０ｂ、１６０ｃは、ＭＩＭＯ技術を実装してもよい。したがって、ｅＮｏｄｅ−Ｂ１６０ａは、例えば、ＷＴＲＵ１０２ａに無線信号を伝送し、かつＷＴＲＵ１０２ａから無線信号を受信するために、複数のアンテナを使用することがある。
【０１４８】
ｅＮｏｄｅ−Ｂ１６０ａ、１６０ｂ、および１６０ｃのそれぞれは、特定のセル（図示せず）に関連付けられてよく、かつ無線リソース管理決定、ハンドオーバ決定、上りリンクおよび／または下りリンクにおけるユーザのスケジューリングなどを取り扱うように構成されてよい。図２１Ｄに示すように、ｅＮｏｄｅ−Ｂ１６０ａ、１６０ｂ、１６０ｃは、Ｘ２インターフェースを通して相互に通信してもよい。
【０１４９】
図２１Ｄに示すコアネットワーク１０７は、モビリティ管理ゲートウェイ（Mobility  Management  Gateway：ＭＭＥ）１６２、サービングゲートウェイ１６４、およびパケットデータネットワーク（Packet  Data  Network：ＰＤＮ）ゲートウェイ１６６を含んでもよい。上述の要素のそれぞれが、コアネットワーク１０７の一部として表されているが、これらの要素のうちの任意の１つは、コアネットワークオペレータ以外のエンティティによって所有および／または操作される場合があることを理解されよう。
【０１５０】
ＭＭＥ１６２は、Ｓ１インターフェースを介して、ＲＡＮ１０４内のｅＮｏｄｅ−Ｂ１６０ａ、１６０ｂおよび１６０ｃのそれぞれに接続されてもよく、制御ノードとして機能してもよい。例えば、ＭＭＥ１６２は、ＷＴＲＵ１０２ａ、１０２ｂ、１０２ｃのユーザを認証すること、ベアラアクティブ化／非アクティブ化、ＷＴＲＵ１０２ａ、１０２ｂ、１０２ｃの初期接続の間に特定のサービングゲートウェイを選択することなどの役割を担ってもよい。ＭＭＥ１６２はまた、ＲＡＮ１０４と、ＧＳＭまたはＷＣＤＭＡなどの他の無線技術を採用する他のＲＡＮ（図示せず）との間を切り替えるために、制御プレーン機能を提供してもよい。
【０１５１】
サービングゲートウェイ１６４は、Ｓ１インターフェースを介して、ＲＡＮ１０４内のｅＮｏｄｅ−Ｂ１６０ａ、１６０ｂおよび１６０ｃのそれぞれに接続されてよい。サービングゲートウェイ１６４は、概して、ＷＴＲＵ１０２ａ、１０２ｂ、１０２ｃへ／ＷＴＲＵ１０２ａ、１０２ｂ、１０２ｃからユーザデータパケットをルーティングおよび転送してよい。サービングゲートウェイ１６４はまた、ｅＮｏｄｅＢ間ハンドオーバの間のユーザプレーンのアンカ、下りリンクデータがＷＴＲＵ１０２ａ、１０２ｂ、１０２ｃに対して利用可能であるときのページングのトリガ、ＷＴＲＵ１０２ａ、１０２ｂ、１０２ｃのコンテキストの管理および記憶などの他の機能を実施してよい。
【０１５２】
サービングゲートウェイ１６４はまた、ＷＴＲＵ１０２ａ、１０２ｂ、１０２ｃに、インターネット１１０などのパケット交換ネットワークへのアクセスを提供し、ＷＴＲＵ１０２ａ、１０２ｂ、１０２ｃとＩＰ対応デバイスとの間の通信を促進することがあるＰＤＮゲートウェイ１６６に接続されてよい。
【０１５３】
コアネットワーク１０７は、他のネットワークとの通信を促進してもよい。例えば、コアネットワーク１０７は、ＷＴＲＵ１０２ａ、１０２ｂ、１０２ｃに、ＰＳＴＮ１０８などの回線交換ネットワークへのアクセスを提供し、ＷＴＲＵ１０２ａ、１０２ｂ、１０２ｃと従来の地上通信デバイスとの間の通信を促進してもよい。例えば、コアネットワーク１０７は、コアネットワーク１０７とＰＳＴＮ１０８との間のインターフェースとして機能する、ＩＰゲートウェイ（例えば、ＩＰマルチメディアサブシステム（ＩＭＳ）サーバ）を含むか、またはそれと通信してよい。加えて、コアネットワーク１０７は、ＷＴＲＵ１０２ａ、１０２ｂ、１０２ｃに、他のサービスプロバイダによって所有および／または操作される他の有線または無線ネットワークを含むことがあるネットワーク１１２へのアクセスを提供してもよい。
【０１５４】
図２１Ｅは、一実施形態によるＲＡＮ１０５およびコアネットワーク１０９のシステム図である。ＲＡＮ１０５は、ＩＥＥＥ８０２．１６無線技術を採用し、エアインターフェース１１７を通してＷＴＲＵ１０２ａ、１０２ｂ、および１０２ｃと通信する、アクセスサービスネットワーク（Access  Service  Network：ＡＳＮ）であってよい。以下でさらに論じるように、ＷＴＲＵ１０２ａ、１０２ｂ、１０２ｃ、ＲＡＮ１０５の異なる機能エンティティとコアネットワーク１０９との間の通信リンクは、参照点として定義されてよい。
【０１５５】
図２１Ｅに示すように、ＲＡＮ１０５は、基地局１８０ａ、１８０ｂ、１８０ｃと、ＡＳＮゲートウェイ１８２とを含むことがあるが、ＲＡＮ１０５は、実施形態と一致したままで、任意の数の基地局およびＡＳＮゲートウェイを含む場合があることを理解されるであろう。基地局１８０ａ、１８０ｂ、１８０ｃはそれぞれ、ＲＡＮ１０５内の特定のセルに関連付けられてよく、エアインターフェース１１７を通してＷＴＲＵ１０２ａ、１０２ｂ、１０２ｃと通信するために、１つまたは複数の送受信機を備えてもよい。一実施形態において、基地局１８０ａ、１８０ｂ、１８０ｃは、ＭＩＭＯ技術を実装してもよい。したがって、基地局１８０ａは、例えば、ＷＴＲＵ１０２ａに無線信号を伝送し、かつＷＴＲＵ１０２ａから無線信号を受信するために、複数のアンテナを使用することがある。基地局１８０ａ、１８０ｂ、１８０ｃはまた、ハンドオフトリガ、トンネル確立、無線リソース管理、トラフィック分類、サービス品質（Quality  of  Service：ＱｏＳ）ポリシ施行などのモビリティ管理機能を提供してもよい。ＡＳＮゲートウェイ１８２は、トラフィック集約点として機能してよく、またページング、加入者プロファイルのキャッシュ、コアネットワーク１０９へのルーティングなどの役割を担ってもよい。
【０１５６】
ＷＴＲＵ１０２ａ、１０２ｂ、１０２ｃとＲＡＮ１０５との間のエアインターフェース１１７は、ＩＥＥＥ８０２．１６仕様を実装するＲ１参照点として定義されてよい。加えて、ＷＴＲＵ１０２ａ、１０２ｂ、および１０２ｃのそれぞれは、論理インターフェース（図示せず）をコアネットワーク１０９と確立してよい。ＷＴＲＵ１０２ａ、１０２ｂ、１０２ｃとコアネットワーク１０９との間の論理インターフェースは、認証、認可、ＩＰホスト構成管理、および／またはモビリティ管理のために使用されることがあるＲ２参照点として定義されてよい。
【０１５７】
基地局１８０ａ、１８０ｂ、および１８０ｃのそれぞれ間の通信リンクは、基地局間のＷＴＲＵハンドオーバおよびデータの転送を促進するプロトコルを含むＲ８参照点として定義されてよい。基地局１８０ａ、１８０ｂ、１８０ｃとＡＳＮゲートウェイ１８２との間の通信リンクは、Ｒ６参照点として定義されてよい。Ｒ６参照点は、ＷＴＲＵ１０２ａ、１０２ｂ、１０２ｃのそれぞれに関連付けられたモビリティイベントに基づいてモビリティ管理を促進するプロトコルを含んでもよい。
【０１５８】
図２１Ｅに示すように、ＲＡＮ１０５は、コアネットワーク１０９に接続されてよい。ＲＡＮ１０５とコアネットワーク１０９との間の通信リンクは、例えば、データ転送およびモビリティ管理能力を促進するプロトコルを含むＲ３参照点として定義されてよい。コアネットワーク１０９は、モバイルＩＰホームエージェント（Mobile  IP  Home  Agent：ＭＩＰ−ＨＡ）１８４、認証・認可・課金（Authentication,  Authorization,  Accounting：ＡＡＡ）サーバ１８６、およびゲートウェイ１８８を含んでもよい。上述の要素のそれぞれが、コアネットワーク１０９の一部として表されているが、これらの要素のうちの任意の１つは、コアネットワークオペレータ以外のエンティティによって所有および／または操作される場合があることを理解されよう。
【０１５９】
ＭＩＰ−ＨＡは、ＩＰアドレス管理の役割を担ってもよく、またＷＴＲＵ１０２ａ、１０２ｂ、および１０２ｃが異なるＡＳＮおよび／または異なるコアネットワーク間でローミングすることを可能にしてもよい。ＭＩＰ−ＨＡ１８４は、ＷＴＲＵ１０２ａ、１０２ｂ、１０２ｃに、インターネット１１０などのパケット交換ネットワークへのアクセスを提供し、ＷＴＲＵ１０２ａ、１０２ｂ、１０２ｃとＩＰ対応デバイスとの間の通信を促進してもよい。ＡＡＡサーバ１８６は、ユーザ認証およびユーザサービスをサポートする役割を担ってもよい。ゲートウェイ１８８は、他のネットワークとの網間接続を促進してもよい。例えば、ゲートウェイ１８８は、ＷＴＲＵ１０２ａ、１０２ｂ、１０２ｃに、ＰＳＴＮ１０８などの回線交換ネットワークへのアクセスを提供し、ＷＴＲＵ１０２ａ、１０２ｂ、１０２ｃと従来の地上通信デバイスとの間の通信を促進してもよい。加えて、ゲートウェイ１８８は、ＷＴＲＵ１０２ａ、１０２ｂ、１０２ｃに、他のサービスプロバイダによって所有および／または操作される他の有線または無線ネットワークを含むことがあるネットワーク１１２へのアクセスを提供してもよい。
【０１６０】
図２１Ｅには図示されていないが、ＲＡＮ１０５は、他のＡＳＮに接続されてよく、またコアネットワーク１０９は、他のコアネットワークに接続される場合があることを理解されよう。ＲＡＮ１０５と他のＡＳＮとの間の通信リンクは、ＲＡＮ１０５とその他のＡＳＮとの間のＷＴＲＵ１０２ａ、１０２ｂ、１０２ｃのモビリティを調整するプロトコルを含むことがあるＲ４参照点として定義されてよい。コアネットワーク１０９とその他のコアネットワークとの間の通信リンクは、ホームコアネットワークと在圏コアネットワークとの間の網間接続を促進するプロトコルを含むことがあるＲ５参照点として定義されてよい。
【０１６１】
本明細書に記載され、図２１Ａ、２１Ｃ、２１Ｄ、および２１Ｅに図示される、コアネットワークエンティティは、一定の既存の３ＧＰＰ仕様におけるそれらのエンティティに与えられる名称によって識別されるが、将来において、それらのエンティティおよび機能は、他の名称によって識別される可能性があり、ある種のエンティティまたは機能は、将来的３ＧＰＰ  ＮＲ仕様を含む、３ＧＰＰによって公開される将来的な仕様において組み合わせられる場合があることを理解されたい。したがって、図２１Ａ、２１Ｂ、２１Ｃ、２１Ｄ、および２１Ｅで、記載および図示される特定のネットワークエンティティおよび機能は、例としてのみ提供され、本明細書で開示および請求される主題は、現在規定されているか、または将来的に規定されるかどうかにかかわらず、任意の類似通信システムにおいて具現化または実装される場合があることを理解されたい。
【０１６２】
図２１Ｆは、ＲＡＮ１０３／１０４／１０５、コアネットワーク１０６／１０７／１０９、ＰＳＴＮ１０８、インターネット１１０、またはその他のネットワーク１１２内のある種のノードまたは機能エンティティなど、図２１Ａ、図２１Ｃ、図２１Ｄおよび図２１Ｅに図示される通信ネットワークの１つまたは複数の装置が具現化されることがある例示的コンピューティングシステム９０のブロック図である。コンピューティングシステム９０は、コンピュータまたはサーバを含んでもよく、ソフトウェアの形態（このようなソフトウェアが記憶されるまたはアクセスされる場所もしくは手段がいかなるものであっても）である場合があるコンピュータ可読命令によって主に制御されてよい。このようなコンピュータ可読命令は、コンピューティングシステム９０を稼働させるように、プロセッサ９１内で実行されてよい。プロセッサ９１は、汎用プロセッサ、特殊目的プロセッサ、従来のプロセッサ、デジタル信号プロセッサ（ＤＳＰ）、複数のマイクロプロセッサ、ＤＳＰコアに関連付けられた１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態マシンなどであってよい。プロセッサ９１は、信号コーディング、データ処理、電力制御、入力／出力処理、および／またはコンピューティングシステム９０が通信ネットワーク内で動作することを可能にする任意の他の機能性を実施してもよい。コプロセッサ８１は、主要プロセッサ９１とは明確に異なる、任意選択のプロセッサであり、追加の機能を実施するか、またはプロセッサ９１を支援することがある。プロセッサ９１および／またはコプロセッサ８１は、本明細書に記載される方法および装置に関連するデータを受信、生成および処理する場合がある。
【０１６３】
プロセッサ９１は、動作時に、命令をフェッチ、復号、および実行し、コンピューティングシステムの主要データ転送パスであるシステムバス８０を介して、情報を他のリソースへ転送し、かつ他のリソースから転送する。このようなシステムバスは、コンピューティングシステム９０内のコンポーネント同士を接続し、かつデータ交換向けの媒体を定義する。システムバス８０は、典型的には、データを送信するためのデータライン、アドレスを送信するためのアドレスライン、および割り込みを送信し、かつシステムバスを操作するための制御ラインを含む。このようなシステムバス８０の一例は、ＰＣＩ（周辺コンポーネント相互接続）バスである。
【０１６４】
システムバス８０に連結されるメモリは、ランダムアクセスメモリ（ＲＡＭ）８２および読み取り専用メモリ（ＲＯＭ）９３を含む。このようなメモリは、情報の記憶および読み出しを可能にする回路を含む。ＲＯＭ９３は、概して、容易に修正することができない記憶されたデータを含む。ＲＡＭ８２内に記憶されたデータは、プロセッサ９１または他のハードウェアデバイスによって読み取られる、もしくは変更されてよい。ＲＡＭ８２および／またはＲＯＭ９３へのアクセスは、メモリコントローラ９２によって制御されてよい。メモリコントローラ９２は、命令が実行されると、仮想アドレスを物理的アドレスに変換する、アドレス変換機能を提供する場合がある。メモリコントローラ９２はまた、システム内のプロセスを隔離し、かつユーザプロセスからシステムプロセスを隔離するメモリ保護機能を提供する場合がある。したがって、第１のモードで起動するプロフラムは、それ自体のプロセス仮想アドレス空間によってマップされているメモリのみにアクセスする場合があり、プロセス間のメモリ共有が設定されていない限り、別のプロセスの仮想アドレス空間内のメモリにアクセスすることはできない。
【０１６５】
加えて、コンピューティングシステム９０は、プロセッサ９１から、プリンタ９４、キーボード８４、マウス９５およびディスクドライブ８５などの周辺機器に命令を通信する役割を担う、周辺機器コントローラ８３を含んでもよい。
【０１６６】
ディスプレイコントローラ９６によって制御されるディスプレイ８６は、コンピューティングシステム９０によって生成される視覚出力を表示するために使用される。このような視覚出力は、テキスト、グラフィックス、動画グラフィックス、およびビデオを含んでよい。視覚出力は、グラフィカルユーザインターフェース（Graphical  User  Interface：ＧＵＩ）の形態で提供されてよい。ディスプレイ８６は、ＣＲＴベースのビデオディスプレイ、ＬＣＤベースのフラットパネルディスプレイ、ガスプラズマベースのフラットパネルディスプレイ、またはタッチパネルで実装される場合がある。ディスプレイコントローラ９６は、ディスプレイ８６に送信されるビデオ信号を生成するために必要とされる電子コンポーネントを含む。
【０１６７】
さらに、コンピューティングシステム９０は、図２１Ａ、図２１Ｂ、図２１Ｃ、図２１Ｄまたは図２１ＥのＲＡＮ１０３／１０４／１０５、コアネットワーク１０６／１０７／１０９、ＰＳＴＮ１０８、インターネット１１０、または他のネットワーク１１２などの外部通信ネットワークに、コンピューティングシステム９０を接続するために使用されて、コンピューティングシステム９０がそれらのネットワークの他のノードまたは機能エンティティと通信できるようにする、例えば、ネットワークアダプタ９７などの通信回路を含む場合がある。通信回路は、単独で、またはプロセッサ９１と組み合わせて、本明細書で記載されるある種の装置、ノード、または機能エンティティの伝送および受信ステップを実施するために使用されてよい。
【０１６８】
図２１Ｇは、本明細書で説明および請求される方法および装置がその中で具現化される場合がある例示的通信システム１１１の一実施形態を図示する。示すように、例示的通信システム１１１は、無線伝送／受信ユニット（ＷＴＲＵ）Ａ、Ｂ、Ｃ、Ｄ、Ｅ、Ｆ、基地局、Ｖ２Ｘサーバ、およびＲＳＵ  ＡおよびＢを含む場合があるが、開示する実施形態は、任意の数のＷＴＲＵ、基地局、ネットワーク、および／またはネットワーク要素が考えられることを理解されよう。１つまたはいくつか、もしくは全てのＷＴＲＵ  Ａ、Ｂ、Ｃ、Ｄ、Ｅは、ネットワークの範囲外（例えば、図中に破線で示されているセルカバレッジ境界線の外）にある場合がある。Ｖ２ＸグループのＷＴＲＵ  Ａ、Ｂ、Ｃの中で、ＷＴＲＵ  Ａはグループを先導するものであり、またＷＴＲＵ  ＢおよびＣはグループメンバである。ＷＴＲＵ  Ａ、Ｂ、Ｃ、Ｄ、Ｅ、Ｆは、Ｕｕインターフェース、またはサイドリンク（ＰＣ５）インターフェースを通して通信する場合がある。
【０１６９】
本明細書に記載される装置、システム、方法およびプロセスのうちいずれかまたは全ては、コンピュータ可読記憶媒体に記憶されたコンピュータ実行可能命令（例えば、プログラムコード）の形態で具現化される場合があり、その命令は、プロセッサ１１８または９１などのプロセッサによって実行されると、プロセッサに、本明細書に記載されるシステム、方法、およびプロセスを実施および／または実装させることを理解されたい。具体的には、本明細書に記載されるいずれのステップ、動作、または機能も、このようなコンピュータ実行可能命令の形態で実装され、無線および／または有線ネットワーク通信向けに構成された装置またはコンピューティングシステムのプロセッサで実行されてよい。コンピュータ可読記憶媒体は、情報の記憶のために、任意の非一時的（例えば、有形または物理的）方法もしくは技術に実装される揮発性および不揮発性媒体、取り外し可能および非取り外し可能媒体を含むが、このようなコンピュータ可読記憶媒体には、信号は含まれない。コンピュータ可読記憶媒体としては、ＲＡＭ、ＲＯＭ、ＥＥＰＲＯＭ、フラッシュメモリまたは他のメモリ技術、ＣＤ−ＲＯＭ、デジタル多用途ディスク（Digital  Versatile  Disk：ＤＶＤ）または他の光学ディスク記憶装置、磁気カセット、磁気テープ、磁気ディスク記憶デバイスまたは他の磁気記憶デバイス、もしくは所望の情報を記憶するために使用されてよく、かつコンピュータシステムによってアクセスされることがある任意の他の有形もしくは物理的媒体が挙げられるが、それらに限定されない。
【図１】
2022502918.tif 000016
【図２】
2022502918.tif 000017
【図３】
2022502918.tif 000018
【図４】
2022502918.tif 000019
【図５】
2022502918.tif 000020
【図６】
2022502918.tif 000021
【図７】
2022502918.tif 000022
【図８】
2022502918.tif 000023
【図９】
2022502918.tif 000024
【図１０Ａ】
2022502918.tif 000025
【図１０Ｂ】
2022502918.tif 000026
【図１１Ａ】
2022502918.tif 000027
【図１１Ｂ】
2022502918.tif 000028
【図１２】
2022502918.tif 000029
【図１３】
2022502918.tif 000030
【図１４】
2022502918.tif 000031
【図１５】
2022502918.tif 000032
【図１６】
2022502918.tif 000033
【図１７】
2022502918.tif 000034
【図１８】
2022502918.tif 000035
【図１９】
2022502918.tif 000036
【図２０】
2022502918.tif 000037
【図２１Ａ】
2022502918.tif 000038
【図２１Ｂ】
2022502918.tif 000039
【図２１Ｃ】
2022502918.tif 000040
【図２１Ｄ】
2022502918.tif 000041
【図２１Ｅ】
2022502918.tif 000042
【図２１Ｆ】
2022502918.tif 000043
【図２１Ｇ】
2022502918.tif 000044
【国際調査報告】
2022502918.tif 000045
2022502918.tif 000046
2022502918.tif 000047